(57)【特許請求の範囲】
【請求項１】
輝度信号、搬送色信号、及び変調された水平解像度補強信号が多重された多重信号と、所定ラインに多重され、かつ、該水平解像度補強信号の有無に関する水平解像度補強信号有無情報を含む識別制御信号とを有するテレビジョン信号を記録媒体に記録する記録装置において、
（１）上記多重信号から輝度信号、搬送色信号、及び変調された水平解像度補強信号をそれぞれ分離して出力する分離手段と、
（２）該分離手段によって分離された水平解像度補強信号をデコードするデコード手段と、
（３）該デコード手段から出力される水平解像度補強信号と、前記分離手段によって分離された輝度信号とを合成して広帯域輝度信号を生成する広帯域輝度信号生成手段と、
（４）テレビジョン信号から識別制御信号を分離すると共にデコードし、かつ、該識別制御信号のデコードデータ内の水平解像度補強信号有無情報を「水平解像度補強信号無し」を表す情報に訂正した訂正デコードデータを出力する識別制御信号デコード手段と、
（５）前記分離手段によって分離された搬送色信号を復調する色復調手段と、
（６）該色復調手段の出力と、前記広帯域輝度信号生成手段の出力とを記録媒体の画像データ記録領域に記録すると共に、前記識別制御信号デコード手段の出力を記録媒体の付随データ記録領域に記録する記録手段と、
を備えていることを特徴とするテレビジョン信号の記録装置。
【請求項２】
テレビジョン信号は、更に、変調して特定ラインに多重された垂直解像度補強信号を有すると共に、
該垂直解像度補強信号を復調する復調手段と、該復調手段の出力を前記色復調手段の出力と多重する多重手段を備え、
かつ、記録手段は、該多重手段の出力を記録媒体の画像データ記録領域に記録することを特徴とする請求項１記載のテレビジョン信号の記録装置。
【請求項３】
多重手段は、復調手段の出力をチャンネル分割するチャンネル分割手段を備え、かつ、該チャンネル分割手段の出力と色復調手段の出力とを多重することを特徴とする請求項２記載のテレビジョン信号の記録装置。
【請求項４】
識別制御信号内の水平解像度補強信号有無情報に基づいて水平解像度補強信号の有無を表す識別データを生成する識別データ生成手段を備え、
かつ、記録手段は、該識別データを記録媒体の付随データ記録領域に記録することを特徴とする請求項１記載のテレビジョン信号の記録装置。
【請求項５】
搬送色信号の色復調出力と復調された垂直解像度補強信号との多重信号、及び輝度信号が画像データ記録領域に記録された記録媒体からテレビジョン信号を再生するテレビジョン信号の再生装置において、
（１）記録媒体を走査する再生手段と、
（２）該再生手段の出力信号から輝度信号を再生する輝度信号再生手段と、
（３）該再生手段の出力信号から前記多重信号を再生する多重信号再生手段と、
（４）該多重信号再生手段の出力から搬送色信号の色復調出力を分離する第１の分離手段と、
（５）該第１の分離手段の出力を変調して搬送色信号を生成する第１の変調手段と、
（６）前記多重信号再生手段の出力から復調された垂直解像度補強信号を分離する第２の分離手段と、
（７）該第２の分離手段の出力を変調して変調された垂直解像度補強信号を生成する第２の変調手段と、
（８）輝度信号再生手段の出力と、第１の変調手段の出力と、第２の変調手段の出力とを合成して出力する合成手段と、
を備えていることを特徴とするテレビジョン信号の再生装置。
【請求項６】
多重信号は、復調された垂直解像度補強信号のチャンネル分割出力と搬送色信号の色復調出力との多重出力から構成され、
かつ、第２の分離手段は、該多重出力から該チャンネル分割出力を分離する分離回路と該分離回路の出力をチャンネル合成するチャンネル合成回路とを備えていることを特徴とする請求項５記載のテレビジョン信号の再生装置。
【請求項７】
再生手段は、更に、輝度信号内の水平解像度補強信号の有無を表す識別データが記録された付随データ記録領域の記録信号を再生し、
かつ、該再生手段により再生された付随データ記録領域の記録信号から前記識別データを分離する識別データ分離手段と、該識別データ分離手段により分離された識別データの情報を表示する表示手段とを備えていることを特徴とする請求項５記載のテレビジョン信号の再生装置。
【請求項８】
再生手段は、更に、テレビジョン信号のフォーマットにおいて規定された識別制御信号のデータが記録された付随データ記録領域の記録信号を再生し、
かつ、該再生手段により再生された付随データ記録領域の記録信号から前記識別制御信号データを分離する識別制御信号データ分離手段と、該識別制御信号データ分離手段の出力に基づいて識別制御信号を生成する識別制御信号生成手段とを備えると共に、
合成手段は、輝度信号再生手段の出力と、第１の変調手段の出力と、第２の変調手段の出力と、識別制御信号生成手段の出力とを合成して出力することを特徴とする請求項５記載のテレビジョン信号の再生装置。
【請求項９】
輝度信号、搬送色信号、及び変調された水平解像度補強信号が多重された多重信号と、所定ラインに多重され、かつ、該水平解像度補強信号の有無に関する水平解像度補強信号有無情報を含む識別制御信号とを有するテレビジョン信号の記録再生を記録媒体を用いて行う記録再生装置において、
（１）上記多重信号から輝度信号、搬送色信号、及び変調された水平解像度補強信号を分離する分離手段と、
（２）該分離手段によって分離された水平解像度補強信号をデコードするデコード手段と、
（３）該デコード手段から出力される水平解像度補強信号と、前記分離手段によって分離された輝度信号とを合成して広帯域輝度信号を生成する広帯域輝度信号生成手段と、
（４）テレビジョン信号から識別制御信号を分離すると共にデコードし、かつ、該識別制御信号のデコードデータ内の水平解像度補強信号有無情報を「水平解像度補強信号無し」を表す情報に訂正した訂正デコードデータを出力する識別制御信号デコード手段と、
（５）前記分離手段によって分離された搬送色信号を復調する色復調手段と、
（６）該色復調手段の出力と、前記広帯域輝度信号生成手段の出力とを記録媒体の画像データ記録領域に記録すると共に、前記識別制御信号デコード手段の出力を記録媒体の付随データ記録領域に記録する記録手段と、
（７）記録媒体を走査する再生手段と、
（８）該再生手段の出力信号から広帯域輝度信号を再生する広帯域輝度信号再生手段と、
（９）該再生手段の出力信号から搬送色信号の色復調出力を再生する色復調出力再生手段と、
（１０）該色復調出力再生手段の出力を変調して搬送色信号を生成する搬送色信号生成手段と、
（１１）前記再生手段の出力信号から訂正デコードデータを再生する訂正デコードデータ再生手段と、
（１２）該訂正デコードデータ再生手段の出力に基づいて識別制御信号を生成する識別制御信号生成手段と、
（１３）該識別制御信号生成手段の出力と、前記広帯域輝度信号再生手段の出力と、前記搬送色信号生成手段の出力とを合成して出力する合成手段と、
を備えたことを特徴とするテレビジョン信号の記録再生装置。
【請求項１０】
テレビジョン信号は、更に、変調して特定ラインに多重された垂直解像度補強信号を有し、
かつ、該変調された垂直解像度補強信号を復調する復調手段と、該復調手段の復調出力を、前記分離手段から出力される色復調出力と多重する多重手段と、再生手段の出力信号から垂直解像度補強信号の復調出力を再生する復調出力再生手段と、該復調出力再生手段の出力を変調することにより変調された垂直解像度補強信号を生成する変調手段とを備えると共に、
記録手段は、該多重手段の出力を記録媒体の画像データ記録領域に記録すると共に、合成手段は、識別制御信号生成手段の出力と、広帯域輝度信号再生手段の出力と、搬送色信号生成手段の出力と、変調手段の出力とを合成して出力することを特徴とする請求項９記載のテレビジョン信号の記録再生装置。
【請求項１１】
多重手段は、復調手段の復調出力をチャンネル分割してチャンネル分割信号を生成するチャンネル分割手段と、該チャンネル分割信号と色復調出力とを多重する多重回路とから構成されると共に、復調出力再生手段は、再生手段の出力信号から該チャンネル分割信号を再生するチャンネル分割信号再生手段と、該チャンネル分割信号再生手段の出力をチャンネル合成するチャンネル合成手段とから構成されることを特徴とする請求項１０記載のテレビジョン信号の記録再生装置。
【請求項１２】
識別制御信号内の水平解像度補強信号有無情報に基づいて水平解像度補強信号の有無を表す識別データを生成する識別データ生成手段を備えると共に、記録手段は、該識別データを記録媒体の付随データ記録領域に記録し、
更に、再生手段により再生された付随データ記録領域の記録信号から前記識別データを分離する識別データ分離手段、及び該識別データ分離手段により分離された識別データの情報を表示する表示手段とを備えていることを特徴とする請求項９記載のテレビジョン信号の記録再生装置。
【発明の詳細な説明】
【０００１】
【産業上の利用分野】
本発明は、テレビジョン信号の記録或るいは再生等を行うための装置に関し、特に、高解像度成分を分離して伝送することにより、従来のテレビジョン信号に比し、高画質画像を提供できるように構成したテレビジョン信号を記録媒体に記録するための記録装置、そして、かかる記録媒体から該テレビジョン信号を再生するための再生装置、更に、該テレビジョン信号を記録媒体に記録再生するための記録再生装置に関するものである。
【０００２】
【従来の技術】
現在のテレビジョン放送の標準方式であるＮＴＳＣ方式との互換性を維持しつつ、該方式のテレビジョン信号に比しより高解像度化、ワイド化された画像を提供できるテレビジョン方式として、第２世代のＥｘｔｅｎｄｅｄ  Ｄｅｆｉｎｉｔｉｏｎ  Ｔｅｌｅｖｉｓｉｏｎ（以下、ＥＤＴＶ−２という）が提唱されており、近々実用化が予定されている。
【０００３】
このＥＤＴＶ−２は、ＮＴＳＣ方式に準じたフォーマットを用いて０〜６ＭＨｚの帯域幅を有する映像信号の伝送を可能としたものであり、ＥＤＴＶ−２のデコーダを備えた受像機においてはアスペクト比１６：９のワイド画像を表現することができる。また、通常のＮＴＳＣ方式受像機で受信した場合には画面中央部（主画部）にアスペクト比１６：９の画像が表示されると共に、その上下部分に画像の表示されない無画部が現れる。
【０００４】
そして、ＥＤＴＶ−２では、以上のような高解像度のワイド画像を提供するために、ＮＴＳＣ方式と同じ帯域を有する輝度信号及び色度信号の外に、水平解像度補強信号、垂直解像度補強信号、及びＥＤＴＶ信号であることを示す識別制御信号が補助的な信号として伝送される。以下に、これらの補助的な信号のフォーマットについて、その概略を説明する。
【０００５】
１）  水平解像度補強信号
ＥＤＴＶ−２においては走査線数５２５本、出力信号帯域幅６ＭＨｚの順次走査のテレビカメラが使用され、有効走査線を構成する４８０本の映像信号は４−３変換によってレターボックス形式の３６０本の映像信号に変換された後、飛び越し走査の信号に変換される。そして、この飛び越し走査に変換された信号からＮＴＳＣ方式輝度信号の帯域を越える４．２ＭＨｚ〜６ＭＨｚの高域成分ＨＨを分離し、次にこのＨＨ信号を搬送波抑圧振幅変調により「吹抜ホール」へ周波数シフトした信号ＨＨ’を水平解像度補強信号として画面中央の３６０本の走査線（主画部）に多重して伝送する。なお、この周波数シフトのための搬送波としては、１６／７ｆｓｃをライン毎、フレーム毎に極性反転して同一位相が垂直−時間領域でフィールド毎に下降する特性の搬送波を使用する。
【０００６】
図４１の〔１〕に０〜４．２ＭＨｚの輝度信号ＹＬ、色信号Ｃ、及び水平解像度補強信号ＨＨ’の信号スペクトルを示す。なお、信号ＨＨ’は、垂直周波数（ν）−時間周波数（ｆ）空間では同図の〔２〕に示されるように色信号と共役な第１、第３象限のホールに存在する。
【０００７】
２）  垂直解像度補強信号
垂直解像度補強信号は、ＶＴ信号及びＶＨ’信号から構成される。
ここで、ＶＴ信号は、上記の４−３変換を施された映像信号に対して垂直周波数軸上でハイパスフィルタ処理を行った後、飛び越し走査形式へ変換した信号であり、この信号は、飛び越し走査形式への変換の際に失われる垂直時間高域成分を表す。このＶＴ信号は、順次走査による画像表示の際に用いられるが、飛び越し走査による画像表示の場合でも、動き成分の斜め方向成分に対し、ＶＴ信号を用いると折り返し歪除去に効果がある。
【０００８】
また、ＶＨ’信号は、順次走査の映像信号から抽出した垂直高域成分ＶＨをライン反転操作により垂直低域へ垂直周波数シフトし、更に４−３変換した後、飛び越し走査に変換することにより得られる。このＶＨ’信号は、４−３変換の際に失われる垂直輝度高域成分を表し、静止画時のみ伝送される。
【０００９】
これらのＶＴ信号，ＶＨ’信号は、それぞれ水平帯域制限後、水平方向に１／３に圧縮・並べ換えを行い、ＶＨ’信号についてはライン毎・フレーム毎に極性反転した後、ＶＴ信号と加算される。この加算出力は、Ｑ軸の色副搬送波を用いて変調された後、主画部の上下に位置するそれぞれ６０本のラインから成る無画部へ多重されて伝送される。なお、ＶＴ信号及びＶＨ’信号の垂直周波数（ν）−時間周波数（ｆ）空間におけるスペクトル（但し、水平周波数μ＝±ｆｓｃ断面）は、図４２のように表される。
【００１０】
３）  識別制御信号
識別制御信号は、図４３に示されるフォーマットを備え、第２２ライン及び第２８５ラインに挿入される。この識別制御信号によって、アスペクト比、各種補強信号の有無、補強信号の位相基準の制御情報等が図示されるＢ１〜Ｂ２７からなる２７ビットの情報で伝送される。各ビットの内容は、ビットＢ１及びＢ２  は、それぞれ「１」及び「０」とされてリファレンスタイミングを規定する。ビットＢ３はレターボックスのとき「１」とされる。ビットＢ６はフィールド番号を、ビットＢ７はＨＨ変調搬送波の位相及びＶＨの垂直−時間変調キャリアの極性をそれぞれ表す。また、ビットＢ８はＶＴ信号の有無を、ビットＢ９はＶＨ信号の有無を、ビットＢ１０はＨＨ信号の有無を、それぞれ表し、これらのビットは「１」のとき「有り」、「０」のとき「無し」を意味するものと定義されている。
【００１１】
なお、ビットＢ１〜Ｂ５及びビットＢ２４はＮＲＺ波形で構成される。また、ビットＢ６〜Ｂ２３の情報は、色副搬送波の搬送波抑圧振幅変調で表され、この場合、各ビットの「１」及び「０」と対応して色副搬送波の位相がそれぞれ０及びπとされる。更に、ビットＢ２５〜Ｂ２７は、既存の映像信号と識別制御信号とを区別するための確認用の正弦波（２．０４ＭＨｚ）とされている。
【００１２】
ＥＤＴＶ−２における１フレーム分の伝送信号の詳細を図４４に示す。この図では、１ラインがサンプル周波数４ｆｓｃによる９１０個のサンプルで構成され、網点のかけられた部分は信号の存在しない部分を表している。そして、第５３ライン〜第２３２ライン及び第３１６ライン〜第４９５ラインの各１８０ラインは、前述のＨＨ’信号が多重された主画部を構成し、これらの主画部の上部の第２３ライン〜第５２ライン及び第２８６ライン〜第３１５ラインの各３０ラインは上部無画部を、また、主画部の下部に位置する第２３３ライン〜第２６２ライン及び第４９６ライン〜第５２５ラインの各３０ラインは下部無画部を、それぞれ構成し、前述のＶＴ信号及びＶＨ’信号が多重される。
【００１３】
【発明が解決しようとする課題】
ところで、現在、ＮＴＳＣ方式のテレビジョン信号を能率良く高品質に記録再生するための記録再生装置として、画像信号を４：１：１フォーマットでサンプリングしてディジタル化した後、ＤＣＴ変換及び可変長符号化等の処理によりデータ圧縮して記録を行う画像圧縮記録方式ディジタルＶＴＲ（この方式のディジタルＶＴＲを以下においては、単に「ディジタルＶＴＲ」と記す）が提案されており、これも近々実用化される予定である。
【００１４】
そして、このディジタルＶＴＲでは、輝度信号及び色差信号がコンポーネント形式で記録されるが、この場合、１フレーム当たりの記録される有効画像エリアは、記録の際のＤＣＴ変換処理を行い易いように独自に決められており、具体的には、第２３ライン〜第２６２ライン、及び第２８５ライン〜第５２４ラインの各２４０ラインからなる合計４８０ラインが有効画像エリアに設定されている。
【００１５】
従って、このＮＴＳＣ方式用ディジタルＶＴＲを用いてＥＤＴＶ−２信号を記録しようとした場合、上記有効画像エリアの外に位置する第２２ラインに多重されている識別制御信号を記録するためには特別の方策が必要である。
また、第２８５ラインに多重されている識別制御信号は有効画像エリア内に存在するが、この信号を他の画像信号と同様にＤＣＴ変換して記録した場合には、この信号内の色副搬送波成分が疑似クロマ信号としてデータ圧縮の過程で本来のクロマ信号へ影響を与えることになる。
【００１６】
更に、識別制御信号内のＮＲＺ信号は広帯域の周波数成分を持つため、この信号が疑似輝度信号としてデータ圧縮の過程で本来の輝度信号へ影響を与えるだけでなく、そこに含まれる色副搬送波周波数成分も疑似クロマ信号として本来のクロマ信号へ影響を与えることになり望ましくない。
【００１７】
また、色信号帯域に存在するＨＨ’信号の記録について考えると、クロマ信号とＨＨ’信号は、図４１の〔２〕に示されるように時間周波数−垂直周波数空間における存在象限が異なっているため、ＨＨ’信号をそのままクロマ信号と共にディジタルＶＴＲに記録した場合には、ＨＨ’信号がクロマ信号内に紛れ込んでしまって、再生時にＨＨ’信号を分離して取り出すことができなくなるという問題がある。
【００１８】
更に、無画部に多重されているＶＴ信号及びＶＨ’信号の記録について考えると、これらの信号も、図４２に示されるように時間周波数−垂直周波数空間における存在象限が異なっている。従って、無画部に多重されている信号を単にＡＤ変換して記録した場合には、ＶＴ信号及びＶＨ’信号が混合してしまい、再生時に両信号を分離して取り出すことができなくなってしまうという問題がある。
【００１９】
なお、ＶＴ／ＶＨ’信号をディジタルＶＴＲに記録する際の記録チャンネルとしては、この信号をディジタルＶＴＲの輝度信号チャンネルに記録する方法も考えられるが、このような方法を採用した場合には、次のような問題が生じる。
即ち、ＶＴ／ＶＨ’信号は±１５ＩＲＥ程度の振幅を持っているので、例えば、ペデスタルレベルに対して１５ＩＲＥ程度のセットアップを行った信号にＶＴ／ＶＨ’信号を多重してから記録する必要があるが、このようにセットアップして記録されたテープを、ＥＤＴＶ−２非対応の通常のディジタルＶＴＲで再生したときには、上記の多重された信号はセットアップされたまま無画部に現れるのでこれが強いノイズとなって観察される。
本発明の課題は、以上の問題点を解決してＥＤＴＶ−２信号をディジタルＶＴＲに記録できるようにすることである。
【００２０】
【課題を解決するための手段】
請求項１にかかる発明は、輝度信号、搬送色信号、及び変調された水平解像度補強信号が多重された多重信号と、所定ラインに多重され、かつ、該水平解像度補強信号の有無に関する水平解像度補強信号有無情報を含む識別制御信号とを有するテレビジョン信号を記録媒体に記録する記録装置であって、
上記多重信号から輝度信号、搬送色信号、及び変調された水平解像度補強信号をそれぞれ分離して出力する分離手段と、
該分離手段によって分離された水平解像度補強信号をデコードするデコード手段と、
該デコード手段から出力される水平解像度補強信号と、前記分離手段によって分離された輝度信号とを合成して広帯域輝度信号を生成する広帯域輝度信号生成手段と、
テレビジョン信号から識別制御信号を分離すると共にデコードし、かつ、該識別制御信号のデコードデータ内の水平解像度補強信号有無情報を「水平解像度補強信号無し」を表す情報に訂正した訂正デコードデータを出力する識別制御信号デコード手段と、
前記分離手段によって分離された搬送色信号を復調する色復調手段と、
該色復調手段の出力と、前記広帯域輝度信号生成手段の出力とを記録媒体の画像データ記録領域に記録すると共に、前記識別制御信号デコード手段の出力を記録媒体の付随データ記録領域に記録する記録手段と、
を備えている。
【００２１】
この場合、テレビジョン信号が、更に、変調して特定ラインに多重された垂直解像度補強信号を有するときは、該垂直解像度補強信号を復調する復調手段と、該復調手段の出力を前記色復調手段の出力と多重する多重手段を備え、
かつ、記録手段が、該多重手段の出力を記録媒体の画像データ記録領域に記録する構成をとるのが好適である。
【００２２】
また、多重手段が、復調手段の出力をチャンネル分割するチャンネル分割手段を備え、かつ、該チャンネル分割手段の出力と色復調手段の出力とを多重するように構成するのが実用的である。
更に、識別制御信号内の水平解像度補強信号有無情報に基づいて水平解像度補強信号の有無を表す識別データを生成する識別データ生成手段を備え、
かつ、記録手段が、該識別データを記録媒体の付随データ記録領域に記録することが望ましい。
【００２３】
請求項５にかかる発明は、搬送色信号の色復調出力と復調された垂直解像度補強信号との多重信号、及び輝度信号が画像データ記録領域に記録された記録媒体からテレビジョン信号を再生するテレビジョン信号の再生装置であって、
記録媒体を走査する再生手段と、
該再生手段の出力信号から輝度信号を再生する輝度信号再生手段と、
該再生手段の出力信号から前記多重信号を再生する多重信号再生手段と、
該多重信号再生手段の出力から搬送色信号の色復調出力を分離する第１の分離手段と、
該第１の分離手段の出力を変調して搬送色信号を生成する第１の変調手段と、
前記多重信号再生手段の出力から復調された垂直解像度補強信号を分離する第２の分離手段と、
該第２の分離手段の出力を変調して変調された垂直解像度補強信号を生成する第２の変調手段と、
輝度信号再生手段の出力と、第１の変調手段の出力と、第２の変調手段の出力とを合成して出力する合成手段と、
を備えている。
【００２４】
ここで、多重信号が、復調された垂直解像度補強信号のチャンネル分割出力と搬送色信号の色復調出力との多重出力から構成されるものとし、
かつ、第２の分離手段が、該多重出力から該チャンネル分割出力を分離する分離回路と該分離回路の出力をチャンネル合成するチャンネル合成回路とを備えるように構成するのが実用的である。
更に、再生手段が、輝度信号内の水平解像度補強信号の有無を表す識別データが記録された付随データ記録領域の記録信号を再生し、
かつ、該再生手段により再生された付随データ記録領域の記録信号から前記識別データを分離する識別データ分離手段と、該識別データ分離手段により分離された識別データの情報を表示する表示手段とを備える構成とするのが効果的である。
【００２５】
また、再生手段が、テレビジョン信号のフォーマットにおいて規定された識別制御信号のデータが記録された付随データ記録領域の記録信号も再生し、
かつ、該再生手段により再生された付随データ記録領域の記録信号から前記識別制御信号データを分離する識別制御信号データ分離手段と、該識別制御信号データ分離手段の出力に基づいて識別制御信号を生成する識別制御信号生成手段とを備えると共に、
合成手段が、輝度信号再生手段の出力と、第１の変調手段の出力と、第２の変調手段の出力と、識別制御信号生成手段の出力とを合成して出力するように構成してもよい。
【００２６】
請求項９にかかる発明は、輝度信号、搬送色信号、及び変調された水平解像度補強信号が多重された多重信号と、所定ラインに多重され、かつ、該水平解像度補強信号の有無に関する水平解像度補強信号有無情報を含む識別制御信号とを有するテレビジョン信号の記録再生を記録媒体を用いて行う記録再生装置であって、
上記多重信号から輝度信号、搬送色信号、及び変調された水平解像度補強信号を分離する分離手段と、
該分離手段によって分離された水平解像度補強信号をデコードするデコード手段と、
該デコード手段から出力される水平解像度補強信号と、前記分離手段によって分離された輝度信号とを合成して広帯域輝度信号を生成する広帯域輝度信号生成手段と、
テレビジョン信号から識別制御信号を分離すると共にデコードし、かつ、該識別制御信号のデコードデータ内の水平解像度補強信号有無情報を「水平解像度補強信号無し」を表す情報に訂正した訂正デコードデータを出力する識別制御信号デコード手段と、
前記分離手段によって分離された搬送色信号を復調する色復調手段と、
該色復調手段の出力と、前記広帯域輝度信号生成手段の出力とを記録媒体の画像データ記録領域に記録すると共に、前記識別制御信号デコード手段の出力を記録媒体の付随データ記録領域に記録する記録手段と、
記録媒体を走査する再生手段と、
該再生手段の出力信号から広帯域輝度信号を再生する広帯域輝度信号再生手段と、
該再生手段の出力信号から搬送色信号の色復調出力を再生する色復調出力再生手段と、
該色復調出力再生手段の出力を変調して搬送色信号を生成する搬送色信号生成手段と、
前記再生手段の出力信号から訂正デコードデータを再生する訂正デコードデータ再生手段と、
該訂正デコードデータ再生手段の出力に基づいて識別制御信号を生成する識別制御信号生成手段と、
該識別制御信号生成手段の出力と、前記広帯域輝度信号再生手段の出力と、前記搬送色信号生成手段の出力とを合成して出力する合成手段と、
を備えている。
【００２７】
ここで、テレビジョン信号が、更に、変調して特定ラインに多重された垂直解像度補強信号を有する構成とし、
かつ、該変調された垂直解像度補強信号を復調する復調手段と、該復調手段の復調出力を、前記分離手段から出力される色復調出力と多重する多重手段と、再生手段の出力信号から垂直解像度補強信号の復調出力を再生する復調出力再生手段と、該復調出力再生手段の出力を変調することにより変調された垂直解像度補強信号を生成する変調手段とを備えると共に、
記録手段は、該多重手段の出力を記録媒体の画像データ記録領域に記録すると共に、合成手段は、識別制御信号生成手段の出力と、広帯域輝度信号再生手段の出力と、搬送色信号生成手段の出力と、変調手段の出力とを合成して出力する構成を採るのが望ましい。
【００２８】
更に、多重手段が、復調手段の復調出力をチャンネル分割してチャンネル分割信号を生成するチャンネル分割手段と、該チャンネル分割信号と色復調出力とを多重する多重回路とから構成されると共に、復調出力再生手段が、再生手段の出力信号から該チャンネル分割信号を再生するチャンネル分割信号再生手段と、該チャンネル分割信号再生手段の出力をチャンネル合成するチャンネル合成手段とから構成されるようにするのが実用的である。
【００２９】
また、識別制御信号内の水平解像度補強信号有無情報に基づいて水平解像度補強信号の有無を表す識別データを生成する識別データ生成手段を備えると共に、記録手段は、該識別データを記録媒体の付随データ記録領域に記録し、
更に、再生手段により再生された付随データ記録領域の記録信号から前記識別データを分離する識別データ分離手段、及び該識別データ分離手段により分離された識別データの情報を表示する表示手段とを備えるのが効果的である。
【００３０】
【作用】
デコードされて高域に戻された水平解像度補強信号と、輝度信号との合成信号がテープ上に記録されると共に、識別制御信号内の水平解像度補強信号の有無を示す情報が「水平解像度補強信号無し」を表す情報に書き換えてから識別制御信号がテープの付随データ記録領域に記録される。
垂直解像度補強信号は、復調後、チャンネル分割された信号が色差信号と多重されて記録され、再生時は、チャンネル合成した後変調されてから無画部に多重される。
記録される輝度信号が水平解像度補強信号を有する信号であるか否かを示す情報が付随データ記録領域に記録され、再生時には、該情報がユーザーに表示される。
【００３１】
【実施例】
まず、本発明に基づいてＥＤＴＶ−２信号を記録できるように構成した記録装置について説明し、次に、かかる記録装置によって記録されたＥＤＴＶ−２信号を再生するための再生装置について説明する。
【００３２】
〔１〕記録装置
かかる記録装置の実施例の全体的構成を図４５に示す。
この実施例は、図に示されるように、チューナー７００、ＥＤＴＶ−２記録回路６００、及び前述のディジタルＶＴＲの記録部８００から構成され、チューナーから出力されるコンポジット映像信号は、ＥＤＴＶ−２記録回路においてＹ信号、及び色差信号ＣＢ，ＣＲに分離されてディジタルＶＴＲ記録部の各入力端子へ供給される。また、オーディオ信号は、チューナーから直接ディジタルＶＴＲ記録部の音声信号入力端子へ供給される。なお、チューナーからの入力信号がＮＴＳＣ方式の信号ではなくＥＤＴＶ−２信号である場合には、以上の各信号の外にスイッチング情報、識別制御信号データ、及びＨＨデコードフラグがＥＤＴＶ−２記録回路からディジタルＶＴＲ記録部の所定の入力端子へ入力される。
【００３３】
以下に、ＥＤＴＶ−２記録回路及びディジタルＶＴＲ記録部について詳細に説明する。
１．ＥＤＴＶ−２記録回路
ＥＤＴＶ−２記録回路の具体的構成の１例を図１に示す。
この図において、チューナーからの入力信号は同期分離回路５０５へ供給され、ここで分離された同期信号をラインデコーダスイッチ回路５０６へ入力することにより第２２ライン期間及び第２８５ライン期間に対応したゲートパルスＧを生成する。このゲートパルスをＥＤＴＶ−２ＩＤデコーダ５０４へ入力して、その入力部に設けられているゲート回路（図示せず）をオンさせ、これらのラインにおけるチューナーからの信号をデコードする。
【００３４】
チューナーからの入力信号がＥＤＴＶ−２信号である場合には、上記のゲート動作によって該デコーダへＥＤＴＶ−２の識別制御信号が取り込まれ、この信号がデコードされることにより、ＥＤＴＶ−２信号であることを認知した判別信号Ｄが該デコーダからラインデコーダスイッチ回路５０６及びチャンネル分割装置５１０へ供給される。そして、該スイッチ回路は、この判別信号Ｄに基づいてＥＤＴＶ−２信号受信時のみ切換信号をスイッチ５９７へ出力すると共に、第２８５ラインの期間を表すスイッチング情報を生成して端子５１８からディジタルＶＴＲ記録部へ入力する（このスイッチング情報の役割については後述する）。また、チャンネル分割装置は、判別信号Ｄに基づいてＥＤＴＶ−２信号受信時のみオン状態とされ、チャンネル分割動作を実行する。
【００３５】
上記の切換信号は、スイッチ５９７の可動端子を無画部期間のみＶＴ／ＶＨ’復調装置５０２の入力端子側へ接続し、それ以外の期間は３次元Ｙ／Ｃ分離回路５０３の入力端子側へ接続するようにスイッチ５９７を制御する。一方、ＥＤＴＶ−２ＩＤデコーダ５０４においてデコードされた識別制御信号内のＨＨ信号の有無を表すビットＢ１６のデータ（ＨＨデコードフラグ）は、端子５１７からディジタルＶＴＲ記録部へ出力されると共に、ＨＨ’デコーダ５０７内の制御回路（図示せず）へも入力され、該制御回路は、このフラグが「１」（ＨＨ信号有り）のときのみデコーダ５０７のデコード動作を実行させる。
【００３６】
これにより、３次元Ｙ／Ｃ分離回路５０３において分離されたＥＤＴＶ−２信号内のＨＨ’信号は、デコーダ５０７で同期検波されてＨＨ信号へ復調された後、加算回路５０９でＹ信号と合成され、帯域が６ＭＨｚまで拡張された広帯域のＹ信号が端子５１３からディジタルＶＴＲ記録部へ出力されて記録される。なお、本実施例では、識別制御信号をデコーダ５０４においてデコードした識別制御信号データが、端子５１６からディジタルＶＴＲへ入力されて記録される。
【００３７】
但し、この場合、ディジタルＶＴＲに記録される輝度信号は、前述のようにＨＨ’信号を変換したＨＨ信号の付加された広帯域の輝度信号となっているので、出力端子５１６からディジタルＶＴＲ記録部へ出力される識別制御信号データ内のＨＨデコードフラグの値は、常に「０」に書き換えられている（この理由は、本実施例のディジタルＶＴＲに記録されたＥＤＴＶ−２信号を再生してＥＤＴＶ−２デコーダ内蔵のテレビ受像機に入力した場合、既に色度信号帯域にＨＨ’信号が存在せず、この受像機内においてＨＨ’信号をＨＨ信号へ変換する操作が不要であることによる）。
【００３８】
また、ＶＴ／ＶＨ’復調装置５０２の具体回路の１例を図２に示す。
この図において、入力された無画部の信号は、ＢＰＦ５６１とＬＰＦ５６３とによって、Ｑ軸の色副搬送波によって変調されたＶＴ／ＶＨ’信号とこれより低域の適応型セットアップ低下を表す信号とに分離される。前者の信号は、復調器５６２においてベースバンドのＶＴ／ＶＨ’信号（但しこれらの信号は１／３に時間軸圧縮されている）に戻された後、チャンネル分割装置５１０において２つのチャンネルに分割され、更に、加算回路５１１及び５１２を経て出力端子５１４及び５１５からディジタルＶＴＲ記録部の色差信号入力端子へ供給される。
【００３９】
即ち、本実施例では復調したＶＴ／ＶＨ’信号をディジタルＶＴＲの色信号チャンネルに記録する。このように、ＶＴ／ＶＨ’信号をベースバンドに戻してから記録するので、前述のように変調された状態のＶＴ／ＶＨ’信号を記録する場合に生ずる問題を回避することができる。なお、装置５１０によってチャンネル分割を行う理由は、上記のベースバンドのＶＴ／ＶＨ’信号が４ＭＨｚ程度の帯域を持っているのに対して、４：１：１のサンプリングフォーマットのディジタルＶＴＲにおける色信号記録チャンネルは、記録可能帯域が２ＭＨｚ程度であるため、ＶＴ／ＶＨ’信号をチャンネル分割することによってその帯域を半減させるためである。
【００４０】
装置５１０の具体回路は、例えば、図３のように構成することができる。この図では、ＡＤ変換されたＶＴ／ＶＨ’信号を、サンプル分配回路５５１によって奇数番目のサンプルと偶数番目のサンプルとに選り分けてサンプルレートを半減させ、これにより、ＤＡ変換回路５５２及び５５３の各出力の帯域をもとの入力信号の帯域の１／２にしている。なお、この図では省略されているが、前述のように、ＥＤＴＶ−２ＩＤデコーダ５０４から判別信号Ｄがこれらの回路５５０〜５５３へ供給されていて、ＥＤＴＶ−２信号受信時のみ装置５１０が動作するように構成されており、ＮＴＳＣ信号受信時に装置５１０からノイズ等が色信号チャンネルへ混入するのを防止している。
【００４１】
なお、図２のＬＰＦ５６３から取り出された適応型セットアップ低下信号は、図１の加算回路５０９から出力端子５１３を経てディジタルＶＴＲ記録部へ供給され、その輝度信号チャンネルに記録される。なお、この適応型セットアップ低下について補足説明すると、これは、無画部のＶＴ／ＶＨ’信号が画面上で目立たないようにするために放送局側において行われる操作であり、、このＶＴ／ＶＨ’信号が多重されているペデスタルレベルをＶＴ／ＶＨ’信号の包絡線のレベル分だけ低下させるものである。
【００４２】
この様子を略図で示せと図４のようになる。この図の〔１〕は適応型セッアップ低下を施されたペデスタル信号を示し、また、〔２〕は、ＶＴ／ＶＨ’信号の変調出力を示したものである。なお、この図の波形の左部分に記されている数値は、ディジタルＶＴＲ記録部内で輝度信号及び色差信号がＡＤ変換されるときの量子化レベルを表す（即ち、ディジタルＶＴＲ記録部内のＡＤ変換において、Ｙ信号のペデスタルレベルは量子化レベル「１６」に、白レベルは量子化レベル「２３５」に変換され、色差信号の中心レベルは量子化レベル「１２８」に、最小レベル及び最大レベルはそれぞれ量子化レベル「１６」及び「２３５」に変換される。）。
【００４３】
このように本実施例では、適応型セットアップ低下信号も輝度信号チャンネルに記録されるので、本実施例のディジタルＶＴＲから再生されたＥＤＴＶ−２信号を、ＥＤＴＶ−２デコーダを備えていないテレビ受像機に入力しても、画面上で無画部のＶＴ／ＶＨ’信号が目立つことがない。勿論、本実施例において記録されたテープを、ＥＤＴＶ−２非対応の通常のディジタルＶＴＲで再生した場合、前述のＶＴ／ＶＨ’信号を輝度信号チャンネルに記録する方法を採用したテープを再生したときのような問題は起きない。
【００４４】
次に、チューナーからの入力信号がＮＴＳＣ信号である場合の動作について説明する。
この場合には、ＥＤＴＶ−２ＩＤデコーダにおいて判別信号Ｄが生成されず、識別制御信号データの出力も禁止される。また、ＨＨデコードフラグの値は強制的に「０」にセットされる。これらの動作によって、ＨＨ’デコーダ及びチャンネル分割装置の動作が停止されると共に、ラインデコーダスイッチ回路５０６におけるスイッチング情報及び切換信号の生成が停止される。
【００４５】
そして、スイッチ５９７への該切換信号の供給が停止することにより、該スイッチの可動端子は３次元Ｙ／Ｃ分離回路の入力端子側に固定される。これらの動作によって、結局、３次元ＹＣ分離回路で分離されたＹ信号と、色復調装置５０８で復調された色差信号のみが記録されるべきビデオデータとしてディジタルＶＴＲ記録部へ出力され、また、値「０」のＨＨデコードフラグが端子５１７からディジタルＶＴＲ記録部へ出力される。
【００４６】
２．ディジタルＶＴＲ記録部
次に、ディジタルＶＴＲ記録部８００について、以下の項目に従って順次説明する。
２─１．  ディジタルＶＴＲの記録フォーマット
（１）  ＩＴＩエリア
（２）  ＡＵＤＩＯエリア
（３）  ＶＩＤＥＯエリア
（４）  ＳＵＢＣＯＤＥエリア
（５）  ＩＤ部の構造
（６）  ＭＩＣ
（７）  パックの構造及び種類
（８）  付随情報記録エリアの構造
（９）  アプリケーションＩＤシステム
２─２．  ディジタルＶＴＲ記録部の回路構成
【００４７】
２─１．  ディジタルＶＴＲの記録フォーマット
本実施例のディジタルＶＴＲ記録部におけるテープ上の記録フォーマットを図５に示す。
この図において、トラックの両端にはマージンが設けられる。そして、その内側には記録始端側から、アフレコを確実に行うためのＩＴＩエリア、音声信号を記録するＡＵＤＩＯエリア、画像信号を記録するＶＩＤＥＯエリア、副次的データを記録するためのＳＵＢＣＯＤＥエリアが設けられる。なお各エリアの間には、エリア確保のためのインターブロックギャップ（ＩＢＧ）が設けられる。
【００４８】
次に上記の各エリアに記録される信号の詳細を説明する。
（１）  ＩＴＩエリア
ＩＴＩエリアは図５の拡大部分に示されているように、１４００ビットのプリアンブル、１８３０ビットのＳＳＡ（Ｓｔａｒｔ−Ｓｙｎｃ  Ｂｌｏｃｋ  Ａｒｅａ）、９０ビットのＴＩＡ（Ｔｒａｃｋ  Ｉｎｆｏｒｍａｔｉｏｎ  Ａｒｅａ）及び２８０ビットのポストアンブルから構成されている。
【００４９】
ここで、プリアンブルは再生時のＰＬＬのランイン等の機能を持ち、ポストアンブルはマージンを稼ぐための役割を持つ。そして、ＳＳＡ及びＴＩＡは、３０ビットのブロックデータを単位として構成されており、各ブロックデータの先頭１０ビットには所定のＳＹＮＣパターン（ＩＴＩ−ＳＹＮＣ）が記録される。
【００５０】
このＳＹＮＣパターンに続く２０ビットの部分には、ＳＳＡにおいては主にＳＹＮＣブロック番号（０〜６０）が記録され、また、ＴＩＡにおいては主に３ビットのＡＰＴ情報（ＡＰＴ２〜ＡＰＯ）、記録モードを識別するＳＰ／ＬＰフラグ、及びサーボシステムの基準フレームを示すＰＦフラグが記録される。なお、ＡＰＴはトラック上のデータ構造を規定するＩＤデータであり、本実施例のディジタルＶＴＲでは値「０００」をとる。
【００５１】
以上の説明から分かるように、ＩＴＩエリアにはコード長の短いシンクブロックが磁気テープ上の固定された位置に多数記録されているので、再生データから例えばＳＳＡの６１番目のＳＹＮＣパターンが検出された位置をトラック上のアフレコ位置を規定する基準として使用することにより、アフレコ時に書換えられる位置を高精度に規定し、良好なアフレコを行うことができる。なお、本実施例のディジタルＶＴＲは、後述するように外の種々のディジタル信号記録再生装置へ容易に商品展開できるように設計されているが、どのようなディジタル信号記録再生装置においても特定のエリアのデータの書換えは必要となるので、このトラック入口側のＩＴＩエリアは必ず設けられている。
【００５２】
（２）  ＡＵＤＩＯエリア
オーディオエリアは、図５の拡大部分に示されるように、その前後にプリアンブルとポストアンブルを有しており、プリアンブルはＰＬＬ引き込み用のランアップ、及びオーディオＳＹＮＣブロックの前検出のためのプリＳＹＮＣから構成されている。また、ポストアンブルは、オーディオエリアの終了を確認するためのポストＳＹＮＣと、ビデオデータアフレコ時にオーディオエリアを保護するためのガードエリアとから構成されている。
【００５３】
ここで、プリＳＹＮＣ及びポストＳＹＮＣの各ＳＹＮＣブロックは、図６の（１）及び（２）に示すように構成され、プリＳＹＮＣはＳＹＮＣブロック２個から、ポストＳＹＮＣはＳＹＮＣブロック１個から構成されている。そして、プリＳＹＮＣの６バイト目には、ＳＰ／ＬＰの識別バイトが記録される。これはＦＦｈでＳＰ、００ｈでＬＰを表し、前述のＩＴＩエリアに記録されたＳＰ／ＬＰフラグが読み取り不可の時にはこのプリＳＹＮＣのＳＰ／ＬＰの識別バイトの値が採用される。
【００５４】
以上のようなアンブルエリアに挟まれたエリアに記録されるオーディオデータは次のようにして生成される。
まず、記録すべき１トラック分の音声信号は、ＡＤ変換及びシャフリングを施された後フレーミングが行われ、更にパリティを付加される。このフレーミングを行ってパリティを付加したフォーマットを図７の（１）に示す。この図において、７２バイトのオーディオデータの先頭に５バイトの音声付随データ（これをＡＡＵＸデータと言う）を付加して１ブロック７７バイトのデータを形成し、これを垂直に９ブロック積み重ねてフレーミングを行い、これに８ビットの水平パリティＣ１とブロック５個分に相当すると垂直パリティＣ２とが付加される。
【００５５】
これらのパリティが付加されたデータは各ブロック単位で読み出されて、各ブロックの先頭側に３バイトのＩＤを付加され、更に、記録変調回路において２バイトのＳＹＮＣ信号を挿入されて、図７の（２）に示されるようなデータ長９０バイトの１ＳＹＮＣブロックの信号へ成形される。そして、この信号がテープに記録される。
【００５６】
（３）  ＶＩＤＥＯエリア
ビデオエリアは図５の拡大部分に示されるようにオーディオエリアと同様のプリアンブル及びポストアンブルを持つ。但し、ガードエリアがより長く形成されている点でオーディオエリアのものと異なっている。これらのアンブルエリアに挟まれたビデオデータは次のようにして生成される。
【００５７】
まず、Ｙ信号を１３．５ＭＨｚのサンプル周波数で、また、色差信号をその１／４の周波数で、それぞれＡＤ変換し、このＡＤ変換出力から１フィールド分の有効走査エリアのデータを抽出する。この１フィールド分の抽出データは、Ｙ信号のＡＤ変換出力（ＤＹ）については、水平方向７２０サンプル、垂直方向２４０ラインで構成され、また、Ｒ−Ｙ信号のＡＤ変換出力（ＤＲ）及びＢ−Ｙ信号のＡＤ変換出力（ＤＢ）については、それぞれ水平方向１８０サンプル、垂直方向２４０ラインで構成される。そしてこれらの抽出データは、水平方向８サンプル、垂直方向４ラインのブロックに分割される。このブロッキング処理を１フレーム分のＤＹについて示すと図８のようになる。
【００５８】
次に、このようにブロッキングされたフィールド１及びフィールド２の各対応する位置のブロックの４ラインのデータを互いに間挿させて図９の（１）に示されるように水平方向８サンプル、垂直方向８ラインのブロックを形成する（例えば、図８におけるブロック１−１’と１−１”とを間挿させて図９の（１）における１−１のブロックを生成する）。同様の操作を色差信号ＤＲ及びＤＢについても行い、図９の（２）に示されるように１フレーム分のデータに対するブロッキング処理を実行する。ただし、色差信号の場合、これらのフィールドにおける右端部分のブロックは水平方向４サンプルしかないので、上下に隣接する２個のブロックをまとめて１個のブロックとする。以上のブロッキング処理によって１フレームにつきＤＹ、ＤＲ、ＤＢで合計８１００個の８サンプル×８ラインのブロックが形成される。なお、この水平方向８サンプル、垂直方向８ラインで構成されるブロックをＤＣＴブロックと言う。
【００５９】
次に、これらのブロッキングされたデータを所定のシャフリングパターンに従ってシャフリングした後、ＤＣＴブロック単位でＤＣＴ変換し、続いて量子化及び可変長符号化を行う。ここで、量子化ステップは３０ＤＣＴブロック毎に設定され、この量子化ステップの値は、３０個のＤＣＴブロックを量子化して可変長符号化した出力データの総量が所定値以下となるように設定される。即ち、ビデオデータを、ＤＣＴブロック３０個ごとに固定長化する。このＤＣＴブロック３０個分のデータをバッファリングユニットと言う。
【００６０】
以上のようにして固定長化したデータについて、その１トラック分のデータ毎にビデオ付随データ（これをＶＡＵＸデータと言う）と共にフレーミングを施し、その後、誤り訂正符号を付加する。
このフレーミングを施して誤り訂正符号を付加した状態のフォーマットを図１０に示す。
【００６１】
この図において、ＢＵＦ０〜ＢＵＦ２６はそれぞれが１個のバッファリングユニットを表す。そして、１個のバッファリングユニットは、図１１の（１）に示すように垂直方向に５つのブロックに分割された構造を有し、各ブロックは７７バイトのデータ量を持つ。また、各ブロックの先頭側の１バイトには量子化に関するパラメータを格納するエリアＱが設けられる。
【００６２】
この量子化データに続く７６バイトのエリアにビデオデータが格納される。そして、図１０に示されているように、これらの垂直方向に２７個配置されたバッファリングユニットの上部には上記のバッファリングユニット内のブロック２個分に相当するＶＡＵＸデータα及びβが配置されると共に、その下部にはブロック１個分に相当するＶＡＵＸデータγが配置され、これらのフレーミングされたデータに対して８バイトの水平パリティＣ１及びブロック１１個分に相当する垂直パリティＣ２が付加される。
【００６３】
このようにパリティが付加された信号は各ブロック単位で読み出されて各ブロックの先頭側に３バイトのＩＤ信号を付加され、更に、記録変調回路において２バイトのＳＹＮＣ信号が挿入される。これにより、ビデオデータのブロックについては図１１の（２）に示されるようなデータ量９０バイトの１ＳＹＮＣブロックの信号が形成され、また、ＶＡＵＸデータのブロックについては同図の（３）に示されるような１ＳＹＮＣブロックの信号が形成される。この１ＳＹＮＣブロック毎の信号が順次テープに記録される。
【００６４】
以上に説明したフレーミングフォーマットでは、１トラック分のビデオデータを表わす２７個のバッファリングユニットはＤＣＴブロック８１０個分のデータを有するので、１フレーム分のデータ（ＤＣＴブロック８１００個分）は１０個のトラックに分けて記録されることになる。
【００６５】
（４）  ＳＵＢＣＯＤＥエリア
ＳＵＢＣＯＤＥエリアは主に高速サーチ用の情報を記録するために設けられたエリアであり、その拡大図を図１２に示す。この図に示されるように、ＳＵＢＣＯＤＥエリアは１２バイトのデータ長を持つ１２個のＳＹＮＣブロックを含み、その前後にプリアンブル及びポストアンブルが設けられる。但し、オーディオエリア及びビデオエリアのようにプリＳＹＮＣ及びポストＳＹＮＣは設けられない。そして、１２個の各ＳＹＮＣブロックには、５バイトの付随データ（ＡＵＸデータ）を記録するデータ部が設けられている。また、この５バイトの付随データを保護するパリティとしては２バイトの水平パリティＣ１のみが用いられ、垂直パリティは使用されない。
【００６６】
なお、以上に説明したＡＵＤＩＯエリア、ＶＩＤＥＯエリア、ＳＵＢＣＯＤＥエリアを構成している各ＳＹＮＣブロックは、記録変調の際に２４／２５変換（記録信号の２４ビット毎のデータを２５ビットへ変換することにより、記録符号にトラッキング制御用パイロット周波数成分を付与するようにした記録変調方式）を施されるため、各エリアの記録データ量は図５に示されているようなビット数になる。
【００６７】
（５）  ＩＤ部の構造
以上の図６，図７，図１１，及び図１２に示されている各ＳＹＮＣブロックの構成から明らかなように、ＡＵＤＩＯエリア、ＶＩＤＥＯエリア、及びＳＵＢＯＣＯＤＥエリアに記録されるＳＹＮＣブロックは、２バイトのＳＹＮＣ信号の後にＩＤ０、ＩＤ１及びＩＤＰ（ＩＤ０，ＩＤ１を保護するパリティ）からなる３バイトのＩＤ部が設けられる点で共通の構造となっている。そして、このＩＤ部の内のＩＤ０、ＩＤ１は、オーディオエリア及びビデオエリアにおいては図１３に示すようにデータの構造が定められる。
【００６８】
即ち、ＩＤ１にはオーディオエリアのプリＳＹＮＣからビデオエリアのポストＳＹＮＣまでのトラック内ＳＹＮＣ番号が２進数で格納される。そして、ＩＤ０の下位４ビットには１フレーム内のトラック番号が格納される。
また、ＩＤ０の上位４ビットには、ＡＡＵＸ＋オーディオデータ、及びビデオデータの各ＳＹＮＣブロックにおいてはこの図の（１）に示されるように４ビットのシーケンス番号が格納される。
【００６９】
一方、オーディオエリアのプリＳＹＮＣブロック、ポストＳＹＮＣブロック及びパリティＣ２のＳＹＮＣブロックにおいてはオーディオエリアのデータ構造を規定する３ビットのＩＤデータＡＰ１が格納され、また、ビデオエリアのプリＳＹＮＣブロック、ポストＳＹＮＣブロック及びパリティＣ２のＳＹＮＣブロックにおいてはビデオエリアのデータ構造を規定する３ビットのＩＤデータＡＰ２が格納される（この図の（２）参照）。なお、これらのＡＰ１及びＡＰ２の値は、本実施例のディジタルＶＴＲでは「０００」をとる。
【００７０】
また、上記のシーケンス番号は、「００００」から「１０１１」までの１２通りの番号を各フレーム毎に記録するものであり、このシーケンス番号を見ることにより、変速再生時に得られたデータが同一フレーム内のものかどうかを判断できる。
一方、ＳＵＢＣＯＤＥエリアにおけるＳＹＮＣブロックのＩＤ部の構造は図１４のように規定されている。
【００７１】
この図はＳＵＢＣＯＤＥエリアの１トラック分のＳＹＮＣブロック番号０から１１までの各ＩＤ部の構造を示したものであり、ＩＤ０の最上位ビットにはＦＲフラグが設けられる。このフラグはフレームの前半５トラックであるか否かを示し、前半５トラックにおいては「０」、後半５トラックにおいては「１」の値をとる。その次の３ビットには、ＳＹＮＣブロック番号が「０」及び「６」であるＳＹＮＣブロックにおいてはＳＵＢＣＯＤＥエリアのデータ構造を規定するＩＤデータＡＰ３が記録されると共に、ＳＹＮＣブロック番号「１１」のＳＹＮＣブロックにおいてはトラック上のデータ構造を規定するＩＤデータＡＰＴが記録され、その外のＳＹＮＣブロックにおいてはＴＡＧコードが記録される。なお、上記ＡＰ３の値は、本実施例のディジタルＶＴＲでは「０００」をとる。
【００７２】
また、上記ＴＡＧコードは、この図に拡大して示されているようにサーチ用の３種類のＩＤ信号、即ち、従来から行われているＩＮＤＥＸサーチのためのＩＮＤＥＸ  ＩＤ、コマーシャル等の不要場面をカットするためのＳＫＩＰ  ＩＤ、及び静止画サーチのためのＰＰ  ＩＤ（Ｐｈｏｔｏ／Ｐｉｃｔｕｒｅ  ＩＤ）から構成される。また、ＩＤ０の下位４ビットとＩＤ１の上位４ビットとを使用してトラックの絶対番号（テープの先頭からの通しのトラック番号）が記録される。但し、この図に示されるようにＳＹＮＣブロック３個分の合計２４ビットを用いて１個の絶対トラック番号が記録される。ＩＤ１の下位４ビットにはＳＵＢＣＯＤＥエリアのＳＹＮＣブロック番号が記録される。
【００７３】
（６）  ＭＩＣ
本実施例のディジタルＶＴＲでは、以上に説明したようにテープ上に規定されている各エリアに付随データを記録するようにしているが、この外にテープの収納されるカセットにメモリＩＣの設けられた回路基板を搭載し、このメモリＩＣにも付随データを記録するようにしている。そして、このカセットがディジタルＶＴＲに装着されるとこのメモリＩＣに書き込まれた付随データが読み出されてディジタルＶＴＲの運転・操作の補助が行われるようにしている。このメモリＩＣを本願ではＭＩＣ（Ｍｅｍｏｒｙ  Ｉｎ  Ｃａｓｓｅｔｔｅ）と呼び、そのデータ構造については後で詳述する。
【００７４】
（７）  パックの構造及び種類
以上に説明したように、本実施例のディジタルＶＴＲでは、付随データを記録するエリアとして、テープ上のオーディオエリアのＡＡＵＸエリア、ビデオエリアのＶＡＵＸエリア、及びＳＵＢＣＯＤＥエリアのＡＵＸデータ記録エリアが使用され、また、この外にテープカセットに搭載されたＭＩＣの記録エリアが使用される。そして、これらの各エリアは、いずれも５バイトの固定長をもつパックを単位として構成される。
【００７５】
つぎに、これらのパックの構造及び種類について説明する。
パックは図１５に示される５バイトの基本構造を持つ。この５バイトについて、最初のバイト（ＰＣ０）がデータの内容を示すアイテムデータ（パックヘッダーとも言う）とされる。そして、このアイテムデータに対応して後続する４バイト（ＰＣ１〜４）の書式が定められ、この書式に従って任意のデータが設けられる。
【００７６】
このアイテムデータは上下４ビットずつに分割され、上位４ビットは大アイテム、下位４ビットは小アイテムと称される。そして上位４ビットの大アイテムは例えば後続データの用途を示すデータとされ、この大アイテムによってパックは図１６の〔１〕の表に示されるように、コントロール「００００」、タイトル「０００１」、チャプター「００１０」、パート「００１１」、プログラム「０１００」、音声補助データ（ＡＡＵＸ）「０１０１」、画像補助データ（ＶＡＵＸ）「０１１０」、カメラ「０１１１」、ライン「１０００」、ソフトモード「１１１１」の１０種類のグループに展開されている。
【００７７】
このように大アイテムによって展開されたパックの各グループは、それぞれが更に小アイテム（これによって例えば後続データの具体的な内容が表される）によって１６個のパックに展開され、結局、これらのアイテムを用いて最大２５６種類のパックを定義することができる。
なお、図１６の〔１〕の表における大アイテム「１００１」〜「１１１０」は追加用に残された未定義の部分を表している。従って、未だ定義されていないアイテムデータのコードを使用して新たなアイテムデータ（ヘッダー）を定義することにより、将来任意に新しいデータの記録を行うことができる。またヘッダーを読むことによりパックに格納されているデータの内容を把握できるので、パックを記録するテープ上の位置も任意に設定できる。
【００７８】
次に、パックの具体例を図１６の〔２〕及び〔３〕、並びに図１７〜図１９を用いて説明する。
図１６の〔２〕及び〔３〕、並びに図１７の〔１〕〜〔５〕に示される各パックは、そのアイテムデータの値から分かるように図１６の〔１〕の表におけるＶＡＵＸのグループに所属するものであり、画像に関する付随データの記録に使用される。
【００７９】
これらのパックの記録内容について説明すると、図１６の〔２〕に示されるＶＡＵＸ  ＳＯＵＲＣＥパックには、記録信号源のチャンネル番号、記録信号が白黒信号であるか否かを示すフラグ（Ｂ／Ｗ）、カラーフレーミングを表すコード（ＣＦＬ）、ＣＦＬが有効であるか否かを示すフラグ（ＥＮ）、記録信号源がカメラ／ライン／ケーブル／チューナー／ソフトテープ等のいずれであるかを示すコード（ＳＯＵＲＣＥ  ＣＯＤＥ）、テレビジョン信号の方式に関するデータ（５０／６０、及びＳＴＹＰＥ）、ＵＶ放送／衛星放送等の識別に関するデータ（ＴＵＮＥＲ  ＣＡＴＥＧＯＲＹ）が記録される。
【００８０】
同図の〔３〕に示されるＶＡＵＸ  ＳＯＵＲＣＥ  ＣＯＮＴＲＯＬパックには、ＳＣＭＳデータ（上位ビットが著作権の有無を表し、下位ビットがオリジナルテープか否かを表す）、ＩＳＲデータ（直前に行われた記録信号がアナログ信号源からのものか否か等を表す）、ＣＭＰデータ（ｃｏｍｐｒｅｓｓｉｏｎの回数を表す）、ＳＳデータ（記録信号がスクランブルされているものであるか否か等の情報を表す）、記録開始フレームか否かを示すフラグ（ＲＥＣ  ＳＴ）、記録される信号が高域のＨＨ信号成分を有するものであるか否かを示すＨＨフラグ（「０」のときＨＨ信号成分有り、「１」のときＨＨ信号成分無しを表す）、オリジナル記録／アフレコ記録／インサート記録等の記録モードデータ（ＲＥＣ  ＭＯＤＥ）が記録されると共に、更に、アスペクト比等に関するデータ（ＢＣＳＹＳ及びＤＩＳＰ）、奇偶フィールドのうちの一方のフィールドの信号のみを２回反復して出力するか否かに関するフラグ（ＦＦ）、フィールド１の期間にフィールド１の信号を出力するかフィールド２の信号を出力するかに関するフラグ（ＦＳ）、フレームの画像データが前のフレームの画像データと異なっているか否かに関するフラグ（ＦＣ）、インターレースであるか否かに関するフラグ（ＩＬ）、記録画像が静止画であるか否かに関するフラグ（ＳＴ）、記録画像がスチルカメラモードで記録されたものであるか否かを示すフラグ（ＳＣ）、及び記録内容のジャンルが記録される。
【００８１】
また、図１７の〔１〕に示されるＶＡＵＸ  ＲＥＣ  ＤＡＴＥパックには記録日に関するデータが記録され、同図の〔２〕に示されるＶＡＵＸ  ＲＥＣ  ＴＩＭＥパックには記録時間に関するデータが記録され、同図の〔３〕に示されるＢＩＮＡＲＹ  ＧＲＯＵＰのパックにはタイムコードのバイナリー群のデータが記録される。同図の〔４〕に示されるＣＬＯＳＥＤ  ＣＡＰＴＩＯＮパックにはテレビジョン信号の垂直帰線期間に伝送されるクローズドキャプション情報が記録される。
【００８２】
同図の〔５〕のＶＡＵＸ  ＴＲパックには、主に垂直ブランキング期間に伝送されてくるシステムデータが格納される。この記録されるシステムデータの種類は、ＰＣ１の下位４ビットのＤＡＴＡ  ＴＹＰＥの値に応じて、以下のように定義されている。
００００＝Ｖｉｄｅｏ  ＩＤ  ｄａｔａ
０００１＝ＷＳＳ  ｄａｔａ
００１０＝ＥＤＴＶ−２  ＩＤ  ｉｎ  ２２  ｌｉｎｅ
００１１＝ＥＤＴＶ−２  ＩＤ  ｉｎ  ２８５  ｌｉｎｅ
１１１１＝Ｎｏ  ｉｎｆｏｒｍａｔｉｏｎ
その他＝Ｒｅｓｅｒｖｅｄ
即ち、このディジタルＶＴＲでは、ＥＤＴＶ−２記録回路６００から入力された識別制御信号データは、このＶＡＵＸ  ＴＲパックに格納されて記録される。
【００８３】
また、図１８の（１）のＣＡＳＳＥＴＴＥ  ＩＤパック、及び同図の（２）のＴＡＰＥ  ＬＥＮＧＴＨパックは、図１６におけるＣＯＮＴＲＯＬのグループに属するパックであり、ＣＡＳＳＥＴＥ  ＩＤパックには、ＭＩＣに記録されているデータがカセットのテープ上に記録されているデータと対応しているかどうかを示すフラグＭＥ、メモリ（ＭＩＣ）の種類、メモリのサイズに関する情報、及びテープ厚みの情報（ＰＣ４）が記録される。
【００８４】
そして、ＴＡＰＥ  ＬＥＮＧＴＨパックには、ビデオテープにおけるリーダーテープを除いた磁気テープ本体の全長がトラック本数に換算された２３ビットのデータとして記録される。この場合のトラック本数は、ＳＰモード時のトラックピッチ（１０ミクロン）で計算する。
図１８の（３）に示されるＴＩＴＬＥ  ＥＮＤパックには、テープ上の最終録画位置の絶対トラック番号が記録される。この最終録画位置は、テープ上における記録が行われた領域のうち最もテープエンドに近い位置を意味し、この位置以降は未記録エリアとなる。
【００８５】
なお、テープ上の途中に無記録部分（ブランク）があるときはテープ上の各トラックに記録される絶対トラック番号に不連続部分を生ずることになるが、上記のパック内におけるフラグＢＦは、このパックに記録された絶対トラック番号より前の位置にこのような不連続な部分があるかどうかを示すフラグである。また、フラグＳＬは、この最終記録位置における記録モードがＳＰモード及びＬＰモードのうちいずれであるかを示すフラグであり、フラグＲＥは、テープ上に消去してはならない録画内容が存在するかどうかを示すフラグである。
【００８６】
また、図１９の（１）〜（３）に示されるパックは、そのアイテムから分かるように図１６の〔１〕の表におけるプログラムのグループに属するものであり、上記の（１）のＰＲＯＧＲＡＭ  ＳＴＡＲＴパック及び（２）のＰＲＯＧＲＡＭＥＮＤパックには、テープ上に記録された各プログラムの開始位置及び終了位置が記録される。即ち、これらのパックの２番目〜４番目のバイト（ＰＣ１〜ＰＣ３）には、それぞれ、プログラム開始点及びプログラム終了点が２３ビットの絶対トラック番号によって格納される。
【００８７】
なお、ＰＲＯＧＲＡＭ  ＳＴＡＲＴパックのＰＣ４におけるフラグＴＥＸＴは、このプログラムについてのテキスト情報がＭＩＣ上に記録されているかどうかを表すフラグである（０：テキスト情報あり，１：テキスト情報なし）。但し、このパックがテープ上に記録される場合は、このＴＥＸＴフラグは常に値「１」をとる。また、ＴＴフラグは、ＭＩＣに記録されているテープ記録開始位置データが実際にテープ上に記録されているテープ記録開始位置データと対応しているかどうかを示すフラグである。ＧＥＮＲＥ  ＣＡＴＥＧＯＲＹは、記録内容のジャンル（例えば、「野球」、「映画」、「旅行」、「ドラマ」等）を表すコードである。
【００８８】
また、ＰＲＯＧＲＡＭ  ＥＮＤパック内に格納されているＲＰフラグは、記録内容の消去の可否に関するフラグであり、ＰＤフラグは、タイマー録画等によってこのプログラムを録画した後に１度でも再生したかどうかを示すフラグであり、ＴＮＴコードは、このプログラムに関してＭＩＣ内に記録されているテキストイベント（イベントについては後述する）の個数を表すコードである。
【００８９】
また、同図の（３）のＰＲＯＧＲＡＭ  ＲＥＣ  ＤＡＴＥ  ＴＩＭＥパックには、テープ上に記録された当該プログラムの記録年月日、時分、曜日等が記録される。なお、このパック内のＲＭは、記録モードがビデオ、オーディオ等のいずれであるかを示すコードである。
【００９０】
なお、パックの特殊例として、アイテムコードがオール１のパックは、無情報のパック（Ｎｏ  Ｉｎｆｏｒｍａｔｉｏｎ  パック）として定義されている。
以上の説明から分かるように、本実施例のディジタルＶＴＲでは、付随データの構造が上述のような各エリアに共通なパック構造となっているので、これらのデータを記録再生する場合のソフトウェアを共通にでき、処理が簡単になる。また記録再生時のタイミングが一定になるために、時間調整のために余分にＲＡＭ等のメモリを設ける必要がなく、さらに新たな機種の開発などの場合にも、そのソフトウェアの開発を容易に行うことができる。
【００９１】
またパック構造にすることによって、例えば再生時にエラーが発生した場合にも、次のパックを容易に取り出すことができる。このためエラーの伝播等によって大量のデータが破壊されてしまうようなことがない。
なお、前述のＭＩＣにテキストデータを記憶する場合には、記憶容量の小さいＭＩＣの記憶エリアの使用領域を節約するために、パックの構造を例外的に１個のパックの中に記録対象であるテキストデータが全部格納される可変長パックの構造としており、これによってＭＩＣの記憶領域の消費量を節約している。
【００９２】
（８）  付随情報記録エリアの構造
次に、パックを用いて多種多様な付随データが記録されるＡＡＵＸエリア、ＶＡＵＸエリア、ＳＵＢＣＯＤＥエリアのデータエリア、及びテープカセットに搭載されたＭＩＣの記録エリアの具体的構造について説明する。
【００９３】
▲１▼  ＡＡＵＸエリア
ＡＡＵＸエリアでは、図７の（２）に示される１ＳＹＮＣブロックのフォーマットにおいて、５バイトのＡＡＵＸエリアで１個のパックが構成される。従って、ＡＡＵＸエリアは１トラックにつき９個のパックで構成される。本実施例のディジタルＶＴＲでは１フレームのデータを１０トラックで記録するので、１フレーム分のＡＡＵＸエリアは図２０のように表される。
【００９４】
この図において１つの区画が１個のパックを表す。そして、区画に記入されている番号５０〜５５は、その区画のパックのアイテムコードを１６進数表示したものであり、これらの６種類のパックをメインパックと呼び、これらのメインパックが記録されるエリアをＡＡＵＸメインエリアと言う。また、これ以外のエリアはＡＡＵＸオプショナルエリアと言い、多種多様なパックの中から任意のパックを選んで記録することができる。
【００９５】
▲２▼  ＶＡＵＸエリア
ＶＡＵＸエリアについては、１トラックにおけるＶＡＵＸエリアが図１０に示されるように３個のＳＹＮＣブロックα、β、γから構成され、そのパック個数は、図２１に示されるように１ＳＹＮＣブロックにつき１５個、１トラックで４５個となる。なお、１ＳＹＮＣブロックにおけるエラーコードＣ１の直前の２バイトのエリアは、予備的な記録エリアとして使用する。
【００９６】
１フレーム分のＶＡＵＸエリアについて、そのパック構成を示すと図２２のようになる。この図において１６進数表示のアイテムコード６０〜６４、及び６６が付されているパックはＶＡＵＸメインエリアを構成するＶＡＵＸメインパックであり、図１６の〔２〕及び〔３〕、並びに図１７の〔１〕〜〔３〕、及び〔５〕に示したパックがこれに相当している。その外のパックはＶＡＵＸオプショナルエリアを構成する。
なお、本実施例のＥＤＴＶ−２信号或るいはＮＴＳＣ信号の記録においては、Ｃｌｏｓｅｄ  Ｃａｐｔｉｏｎ信号は記録されないので、図２２にはこのパックが記されていない。
【００９７】
▲３▼  ＳＵＢＣＯＤＥエリアのデータエリア
ＳＵＢＣＯＤＥエリアのデータエリアは、図１２に示されるように、ＳＹＮＣブロック番号０〜１１の各ＳＹＮＣブロックの中に５バイトづつ書き込まれ、それぞれが１パックを構成している。即ち、１トラックで１２個のパックが記録され、そのうちＳＹＮＣブロック番号３〜５及び９〜１１のパックがメインエリアを構成し、その外のパックはオプショナルエリアを構成する。
【００９８】
このＳＵＢＣＯＤＥエリアにおける１フレーム分のデータは、図２３に示されるようなフォーマットで反復的に記録される。この図において大文字のアルファベットはメインエリアのパックを表し、タイムコード、記録年月日等の高速サーチに必要なデータが記録される。小文字のアルファベットはオプショナルエリアのパックを表し、このエリアには任意のパックを選択して任意のデータを記録することができる。
【００９９】
なお、以上に説明した各エリアにおけるメインエリアには、あらゆるテープについて共通的な基本のデータ項目に関する付随的情報が格納されたパックが記録されるという特徴がある。一方、オプショナルエリアには、ソフトテープメーカー或るいは、ユーザー等が自由に任意の付随データを書き込むことができる。そのような付随的情報としては、例えば、種々の文字情報、文字放送信号データ、垂直ブランキング期間内の種々のシステムデータ或るいは有効走査期間内の任意のラインのテレビジョン信号データ、コンピューターグラフィックスのデータ等がある。
【０１００】
▲４▼  ＭＩＣの記録エリア
図４１に、ＭＩＣの記録エリアのデータ構造を示す。この記録エリアもメインエリアとオプショナルエリアに分かれており、先頭の１バイトと未使用エリア（ＦＦｈ）を除いてすべてパック構造で記述される。前述のようにテキストデータだけは、可変長のパック構造で、それ以外はＶＡＵＸ、ＡＡＵＸ、ＳＵＢＣＯＤＥの各エリアと同じ５バイト固定長のパック構造で記録される。
【０１０１】
ＭＩＣメインエリアの先頭のアドレス０には、ＭＩＣのデータ構造を規定するＩＤデータであるＡＰＭ３ビットとＢＣＩＤ（Ｂａｓｉｃ  Ｃａｓｓｅｔｔｅ
ＩＤ）４ビットが記録される。ここで、ＡＰＭの値は、本実施例のディジタルＶＴＲでは「０００」をとる。また、ＢＣＩＤは、基本カセットＩＤであり、ＭＩＣ無しカセットでのＩＤ認識（テープ厚み、テープ種類、テープグレード）用のＩＤボードと同じ内容である。ＩＤボードは、ＭＩＣ読み取り端子を従来の８ミリＶＴＲのレコグニションホールと同じ役目をさせるもので、これにより従来のようにカセットハーフに穴を空ける必要がなくなる。
【０１０２】
アドレス１以降に順に、前述の「カセットＩＤ」パック、「テープ長さ」パック、「タイトルエンド」パックの３個のパックが記録される。なお、先頭のアドレス０からこのＴＩＴＬＥ  ＥＮＤパックまでの記録エリアをメインエリアと呼び、このエリアにはどのカセットのＭＩＣにおいてもこれらの決まった内容に関するデータが記録される。
また、このメインエリアに続く記録エリアはオプショナルエリアと呼ばれ、任意個数のイベントから構成される。即ち、メインエリアが、アドレス０から１５まで１６バイトの固定エリアだったのに対し、オプショナルエリアはアドレス１６以降にある可変エリアである。
【０１０３】
オプショナルエリアは、文字どおりオプションで、おもにＴＯＣ（Ｔａｂｌｅｏｆ  Ｃｏｎｔｅｎｔｓ）やテープ上のポイント（例、スチル再生を行うポイント）を示すタグ情報、それにプログラムに関するタイトル等のテキストデータ等がイベントを単位として記録される。
【０１０４】
ここで、イベントとは、通常、複数個のパックから構成された１つのデータグループを意味し、その先頭に位置するパックをイベントヘッダーと言う。このイベントヘッダーとなるパックは、それぞれのイベントの内容に応じて予め特定のパックが決められている。例えば、図１６〜図１９において説明したパックの中では、ＰＲＯＧＲＡＭ  ＳＴＡＲＴパックがプログラムイベントのイベントヘッダーとして定義されている。そして、この場合、１つのイベントの中に外の種類のイベントのイベントヘッダーとして定義されているパックを入れることは禁じられている。即ち、１つのイベントヘッダーから始まって次のイベントヘッダーが現れるまでで１つのイベントが構成される。
【０１０５】
次に、ＭＩＣのオプショナルエリアに記録されるイベントの具体例を図２５を参照して説明する。
この図は、ＰＲＯＧＲＡＭ  ＳＴＡＲＴパック、ＰＲＯＧＲＡＭ  ＥＮＤパック、ＰＲＯＧＲＡＭ  ＲＥＣ  ＤＡＴＥパック、ＶＡＵＸ  ＳＯＵＲＣＥ  ＣＯＮＴＲＯＬパックから構成されたプログラムイベントの例を表現したもので、これによってＴＯＣにより表示すべきテープ上に記録された特定の１つのプログラムの情報が与えられる。
【０１０６】
即ち、ユーザーは、ディジタルＶＴＲの動作を停止させてテープを再生していない状態であっても、ディジタルＶＴＲ内のモード処理マイコン（後述する）へ指令を出してこれらのＭＩＣ内のイベントデータを表示させることにより、テープ上に記録されている所望のプログラムの記録年月日、及びＨＨ信号を含む広帯域の画像信号により記録されたプログラムであるか否か等を知ることができる。なお、ディジタルＶＴＲがテープ再生動作中である場合には、モード処理マイコンに指令を出してテープ上のＶＡＵＸメインエリアから再生されたＶＡＵＸＳＯＵＲＣＥ  ＣＯＮＴＲＯＬパック内のＨＨフラグの内容を表示させることにより、現在再生されているプログラムがＨＨ信号を含む広帯域の映像信号による画像であるか否かを知ることもできる。
【０１０７】
（９）  アプリケーションＩＤシステム
以上、本実施例におけるディジタルＶＴＲの記録フォーマットについて説明したが、このフォーマットは、ＮＴＳＣ信号用の画像圧縮記録方式ディジタルＶＴＲに限らずそれ以外の種々のディジタル信号記録再生装置として容易に商品展開できるように基本設計されている。そして、前述のフォーマットの説明の中で現れたＩＤデータＡＰＴ，ＡＰ１〜ＡＰ３，ＡＰＭが、このような種々のディジタル信号記録装置への展開を可能ならしめる役割を担うものであり、これらのＩＤデータを一括してアプリケーションＩＤと呼ぶ。
【０１０８】
そこで、次に、このアプリケーションＩＤシステムについて補足説明する。
なお、上記のアプリケーションＩＤは、ディジタルＶＴＲの応用例を決めるＩＤではなく単に記録媒体のエリアのデータ構造を決定するだけのＩＤであり、ＡＰＴ及びＡＰＭについては前述のとおり以下の意味付けがなされている。
ＡＰＴ・・・トラック上のデータ構造を決める。
ＡＰＭ・・・ＭＩＣのデータ構造を決める。
【０１０９】
即ち、まず、ＡＰＴの値により、このディジタル信号記録再生装置におけるトラック上のデータ構造が規定される。つまり、ＩＴＩエリア以降のトラックが、ＡＰＴの値に応じて図２６のようにいくつかのエリアに分割され、それらのトラック上の位置、ＳＹＮＣブロック構成、エラーからデータを保護するためのＥＣＣ構成等のデータ構造が一義的に決まる。さらに各エリアには、それぞれそのエリアのデータ構造を決めるアプリケーションＩＤが存在する。その意味付けは以下のようになる。
エリアｎのアプリケーションＩＤ・・・エリアｎのデータ構造を決める。
【０１１０】
そして、テープ上のアプリケーションＩＤは、図２７のような階層構造を持つ。すなわち、おおもとのアプリケーションＩＤであるＡＰＴによりトラック上のエリアが規定され、その各エリアにさらにＡＰ１〜ＡＰｎが規定される。エリアの数は、ＡＰＴにより定義される。図２７では二階層で書いてあるが、必要ならさらにその下に階層を設けてもよい。このようにＡＰＴ，ＡＰ１〜ＡＰｎの値を指定することによって、このディジタル信号記録再生装置の具体的信号処理の構成及び該装置の用途が特定される。
【０１１１】
なお、ＭＩＣ内のアプリケーションＩＤであるＡＰＭは一階層のみであり、その値は、そのディジタル信号記録再生装置によりそのＡＰＴと同じ値が書き込まれる。
このアプリケーションＩＤシステムにより、前述のディジタルＶＴＲを、そのカセット、メカニズム、サーボシステム、ＩＴＩエリアの生成検出回路等をそのまま流用して、全く別の商品群、例えばデータストリーマーやマルチトラック・ディジタルオーディオテープレコーダーのようなものを作り上げることが可能である。また１つのエリアが決まっても、その中味をさらにそのエリアのアプリケーションＩＤで定義できるので、あるアプリケーションＩＤの値の時はそこはビデオデータ、別の値の時はビデオ・オーディオデータ、またはコンピューターデータというように非常に広範な商品展開が可能である。
【０１１２】
次に、アプリケーションＩＤの値が指定された場合の具体例について説明する。
まず、ＡＰＴ＝０００の時の様子を図２８に示す。この時トラック上にエリア１、エリア２、エリア３が規定される。そしてそれらのトラック上の位置、ＳＹＮＣブロック構成、エラーからデータを保護するためのＥＣＣ構成、それに各エリアを保証するためのギャップや重ね書きを保証するためのオーバイライトマージンが決まる。さらに各エリアには、それぞれそのエリアのデータ構造を決めるアプリケーションＩＤが存在する。その意味付けは以下のようになる。
【０１１３】
ＡＰ１・・・エリア１のデータ構造を決める。
ＡＰ２・・・エリア２のデータ構造を決める。
ＡＰ３・・・エリア３のデータ構造を決める。
そしてこの各エリアのＡｐｐｌｉｃａｔｉｏｎ  ＩＤが、０００の時を以下のように定義する。
【０１１４】
ＡＰ１＝０００・・・画像圧縮記録方式民生用ディジタルＶＴＲのオーディオ、ＡＡＵＸのデータ構造を採る
ＡＰ２＝０００・・・画像圧縮記録方式民生用ディジタルＶＴＲのオーディオ、ＡＡＵＸのデータ構造を採る
ＡＰ３＝０００・・・画像圧縮記録方式民生用ディジタルＶＴＲのサブコード、ＩＤのデータ構造を採る
すなわち、画像圧縮記録方式民生用ディジタルＶＴＲを実現するときは、ＡＰＴ、ＡＰ１、ＡＰ２、ＡＰ３＝０００となる。このとき、当然、ＡＰＭも０００となる。
【０１１５】
２─２．  ディジタルＶＴＲ記録部の回路構成
本実施例のディジタルＶＴＲの記録部では、以上に説明した記録フォーマットに従ってテープ及びＭＩＣへの記録が行われるが、次に、このような記録を実行する該記録部の具体的回路構成及びその動作について説明する。
かかる記録部の回路構成を図２９に示す。
【０１１６】
この図において、入力されたＹ，Ｒ−Ｙ，Ｒ−Ｙの各コンポーネント信号は、クランパー５９４を介してＡ／Ｄ変換器４２へ供給されると共に、Ｙ信号は同期分離回路４４へも供給され、ここで分離された同期信号がクロック発生器４５へ供給される。クロック発生器４５はＡ／Ｄ変換器４２及びブロッキング・シャフリング回路４３のためのクロック信号を生成すると共に、クランパー５９４において使用するクランプパルスも生成する。
【０１１７】
なお、クランパー５９４は、ＡＤ変換のための前処理としてのクランプ動作を実行するが、前述のようにライン２８５の識別制御信号をほかの画像信号と同様に記録することは望ましくないので、クランパー内において、この識別制御信号期間の信号レベルを無信号レベルへ抑圧する動作も行う。クランパーの回路構成を図３０に示す。この図において、輝度信号用クランプ電圧発生回路５８２は量子化レベル「１６」に対応する直流電圧を発生し、色差信号用クランプ電圧発生回路５８９は量子化レベル「１２８」に対応する直流電圧を発生する。これにより、Ｙ信号のペデスタルレベルは量子化レベル「１６」に対応する電位にクランプされ、色差信号の中心レベルは量子化レベル「１２８」に対応する電位にクランプされる（図４参照）。
【０１１８】
また、ＥＤＴＶ−２記録回路から入力されたライン２８５を表すスイッチング情報が走査期間パルス生成回路５９０へ供給され、該発生回路においてライン２８５の走査期間に対応したパルスが生成される。この走査期間パルスがスイッチ５８４、５８６、５８７へ供給されることにより、これらのスイッチの可動端子は、この走査期間のみ下側の固定端子に接続され、クランパーから出力されるＹ信号及び色差信号のレベルがライン２８５の期間には上記の各クランプ電圧に固定される。
【０１１９】
なお、図８のようにブロッキング処理を行うと、図    における無画部と主画部との境界付近では、これらの両方の部分にまたがって１つのブロックが形成されることになる。即ち、ライン５１〜５４、ライン２３１〜２３４、ライン３１３〜３１６、ライン４９２〜４９５の各４個のラインのデータが１つのブロックの中に含まれることになり、１つのブロックの中に主画部の信号と無画部の信号とが混在する状態となる。このため、画像内容によっては、ＤＣＴ変換してデータ圧縮を行ったときに無画部の垂直解像度補強信号成分に悪影響を生じ、ディジタルＶＴＲから再生された画面の中央付近に横線等の画像障害を発生する場合がある。
【０１２０】
そこで、このような障害を避ける方法として、上記の各ブロックに含まれる画像信号（即ち、ライン５３、５４、２３１、２３２、３１６、４９３〜４９５の各画像信号）を０レベルに抑圧するようにしてもよい。具体的方法としては、例えば、ＥＤＴＶ−２記録回路内のＥＤＴＶ−２ＩＤデコーダにおいて、前述のスイッチング情報の外に更に上記の８個のラインを表す情報も発生して、これらの情報を上記のクランパーへ供給することにより、該８個のラインの走査期間においてもＹ信号及び色差信号のレベルを前記の各クランプ電圧に固定するようにすればよい。
【０１２１】
なお、以上のようにクランパーにおいて走査期間の信号レベルの抑圧を行う代わりに、図２９におけるＡ／Ｄ変換回路４２の出力側でＤＹ，ＤＲ，ＤＢの各値を量子化値「１６」及び「１２８」に切り換えることにより抑圧を行うようにしてもよい。
【０１２２】
次に、図２９に戻って説明を続けると、Ａ／Ｄ変換器４２へ入力されたコンポーネント信号は、Ｙ信号は１３．５ＭＨｚ、色差信号は１３．５／４ＭＨｚのサンプリング周波数でＡ／Ｄ変換が行われる。そして、これらのＡ／Ｄ変換出力のうち有効走査期間のデータＤＹ，ＤＲ，ＤＢのみがブロッキング・シャフリング回路４３へ供給される。
【０１２３】
このブロッキング・シャフリング回路４３において、前述のように有効データＤＹ，ＤＲ，ＤＢは、水平方向８サンプル、垂直方向８ラインから構成されるブロックへ変換され、さらにＤＹのブロック４個、ＤＲとＤＢのブロックを１個ずつ、計６個のブロックを単位として画像データの圧縮効率を上げ、かつ再生時のエラーを分散させるためのシャフリングを実行し、次に、圧縮符号化部へ供給される。
【０１２４】
圧縮符号化部は、入力された水平方向８サンプル、垂直方向８ラインのブロックデータに対してＤＣＴ（離散コサイン変換）を行う圧縮回路４６、その結果を所定のデータ量まで圧縮できたかを見積もる見積器４８、及びその判断結果を基に最終的に量子化ステップを決定し、可変長符号化を用いたデータ圧縮を行う量子化器４７とから構成される。量子化器４７の出力は、フレーミング回路４９において図１０において説明したフォーマットにフレーム化される。
【０１２５】
図２９におけるモード処理マイコン６７は、人間とのマンマシンインターフェースを取り持つマイコンで、テレビジョン信号の垂直同期の周波数に同期して動作する。また、信号処理マイコン５５は、よりマシンに近い側で動作するものであり、ドラムの回転数９０００ｒｐｍ，１５０Ｈｚに同期して動作する。
【０１２６】
そして、ＶＡＵＸ，ＡＡＵＸ，ＳＵＢＣＯＤＥの各エリアのパックデータは、基本的にモード処理マイコンで生成される（図２９において、前述のＶＡＵＸＴＲパックに格納するための識別制御信号データ、及びＶＡＵＸ  ＳＯＵＲＣＥＣＯＮＴＲＯＬパックに格納するためのＨＨデコードフラグが、ＥＤＴＶ−２記録回路からモード処理マイコン６７へ入力される）と共に、「タイトルエンド」パック等に含まれる絶対トラック番号は信号処理マイコン５５で生成され、後で所定の位置に嵌め込む処理が実行される。ＳＵＢＣＯＤＥ内に格納されるタイムコードデータも信号処理マイコン５５で生成される。
【０１２７】
これらの結果は、マイコンとハードウエアとの間を取り持つインターフェースＶＡＵＸ用ＩＣ５６、ＳＵＢＣＯＤＥ用ＩＣ５７及びＡＡＵＸ用ＩＣ５８に与えられる。ＶＡＵＸ用ＩＣ５６は、タイミングをはかって合成器５０でフレーミング回路４９の出力と合成する。また、ＳＵＢＣＯＤＥ用ＩＣ５７は、ＡＰ３、ＳＵＢＣＯＤＥのＩＤであるＳＩＤ、及びＳＵＢＣＯＤＥのパックデータＳＤＡＴＡを生成する。
【０１２８】
一方、入力オーディオ信号はＡ／Ｄ変換器５１によりディジタルオーディオ信号に変換される。なお、ビデオ信号及びオーディオ信号のＡＤ変換の際には、この図には示されていないが、サンプリング回路の前段にそのサンプリング周波数に応じたＬＰＦを設けることが必要である。ＡＤ変換されたオーディオデータは、シャフリング回路５２によりデータの分散処理を受けた後、フレーミング回路５３において図７において説明したフォーマットにフレーム化される。この時ＡＡＵＸ用ＩＣ５８は、ＡＡＵＸのパックデータを生成しタイミングを見計らって、合成回路５４にてオーディオのＳＹＮＣブロック内の所定の場所にそれらを詰め込む。
【０１２９】
次にＶＡＵＸを例にパックデータの記録回路を説明する。図３１にその全体の流れを示す。まずモード処理マイコン６７でＶＡＵＸに格納すべきパックデータを生成する。それをＰ／Ｓ変換回路１１８にてシリアルデータに変換し、マイコン間の通信プロトコルに従って信号処理マイコン５５に送る。ここでＳ／Ｐ変換回路１１９にてパラレルデータに戻し、スイッチ１２２を介してバッファメモリ１２３に格納する。送られたパックデータのうちその５バイト毎の先頭のヘッダー部をパックヘッダー検出回路１２０にて抜き出し、そのパックが絶対トラック番号を必要とするパックかどうかを調べる。必要ならスイッチ１２２を切り換えて絶対トラック番号生成回路１２１から２３ビットのデータを８ビット刻みで格納する。格納エリアは、個々のパック構造において説明したようにすべて格納すべきパックのＰＣ１、ＰＣ２、ＰＣ３の固定位置である。
【０１３０】
ここで回路１１９は、マイコン内にあるシリアルＩ／Ｏであり、回路１２０、１２１、１２２はマイコンプログラムで構成され、回路１２３は、マイコン内のＲＡＭである。このようにパック構造の処理は、わざわざハードで組まなくても、マイコンの処理時間で間に合うためコスト的に有利なマイコンを使用する。
こうしてバッファメモリ１２３に格納されたデータは、ＶＡＵＸ用ＩＣ５６のライト側タイミングコントローラ１２５からの指示により、順々に読みだされる。この時前半の６パック分はメインエリア用、その後の３９０パック分はオプショナルエリア用として、スイッチ１２４を切り換える。
【０１３１】
メインエリア用のＦＩＦＯ１２６は３０バイト、オプショナルエリアのＦＩＦＯ１２７は１９５０バイトの容量を持つ。
ＶＡＵＸは、図３２の〔１〕に示されるようにトラック内ＳＹＮＣ番号１９、２０、１５６の所に格納される。またフレーム内トラック番号が、１、３、５、７、９の時、＋アジマスでＳＹＮＣ番号１９の前半にメインエリアが、フレーム内トラック番号が、０、２、４、６、８の時、−アジマスでＳＹＮＣ番号１５６の後半にメインエリアがある。これを１ビデオフレームでまとめて描いたのが、図４４の〔２〕である。このようにタイミング信号ｎＭＡＩＮ＝「Ｌ」の時が、メインエリアとなる。このような信号をリード側タイミングコントローラ１２９にて生成し、スイッチ１２８を切り換えその出力を合成回路５０へ渡す。
【０１３２】
ここで、ｎＭＡＩＮ＝「Ｌ」の時には、メインエリア用ＦＩＦＯ１２６のデータを繰り返し１０回（５２５／６０）、若しくは１２回（６２５／５０）読み取ることになる。ｎＭＡＩＮ＝「Ｈ」の時は、オプショナルエリア用ＦＩＦＯ１２７を読みだす。これは、１ビデオフレームに一回だけ読む。
図３３にモード処理マイコン内のパックデータ生成部を主として示す。まず大きく分けて回路は、マインエリア用とオプショナルエリア用とに分かれる。回路１３１は、メインエリア用データ収集生成回路である。デジタルバスやチューナーから図のようなデータを受け取ると共に内部で１３９に示すようなデータ群を生成する。これをメインパックのビットバイト構造に組み立て、スイッチ１３２によりパックヘッダーを付加し、スイッチ１３６を介してＰ／Ｓ変換回路１１８に入力する。
【０１３３】
オプショナルエリア用データ収集生成回路１３３には、例えばチューナーからＴＥＬＥＴＥＸＴデータや番組タイトル等が入力され、これらを格納したパックデータが生成される。どのオプショナルエリアに記録するかはＶＴＲセットが個々に決定する。そのパックヘッダーを回路１３４により設定してスイッチ１３５により付加し、スイッチ１３６を介してＰ／Ｓ変換回路１３８に入力する。これらのタイミングは、タイミング調整回路１３７により行う。
ここでも前述のように回路１１８は、マイコン内にあるシリアルＩ／Ｏであり、回路１３１〜１３７はマイコンプログラムで構成される。
【０１３４】
また、図２９における発生器５９では、ＡＶ（Ａｕｄｉｏ／Ｖｉｄｅｏ）の各ＩＤ部とプリＳＹＮＣ、ポストＳＹＮＣの生成を行う。ここでは、ＡＰ１、ＡＰ２も生成し所定のＩＤ部にはめ込む。発生器５９の出力と、ＡＤＡＴＡ（ＡＵＤＩＯ  ＤＡＴＡ）、ＶＤＡＴＡ（ＶＩＤＥＯ  ＤＡＴＡ）、ＳＩＤ（ＳＵＢＣＯＤＥ  ＩＤ）、ＳＤＡＴＡ（ＳＵＢＣＯＤＥ  ＤＡＴＡ）は、第１のスイッチング回路ＳＷ１によりタイミングを見て切り換えられる。
【０１３５】
そして、第１のスイッチング回路ＳＷ１の出力はパリティ生成回路６０において、所定のパリティが付加され、乱数化回路６１、２４／２５変換回路６２へ供給される。ここで、乱数化回路６１はデータの直流成分をなくすために入力データを乱数化する。また、２４／２５変換回路６２は、データの２４ビット毎に１ビットを付加してパイロット信号成分を付与する処理、及びディジタル記録に適したプリコード処理（パーシャルレスポンスクラスＩＶ）を行う。
【０１３６】
こうして得られたデータは合成器６３へ供給され、ここでＡ／Ｖ  ＳＹＮＣ，及びＳＵＢＣＯＤＥ  ＳＹＮＣの発生器６４が生成したオーディオ、ビデオ及びＳＵＢＣＯＤＥのＳＹＮＣパターンが合成される。合成器６３の出力は第２のスイッチング回路ＳＷ２へ供給される。また、ＩＴＩ発生器６５が出力するＩＴＩデータとアンブルパターン発生器６６が出力するアンブルパターンも、第２のスイッチング回路ＳＷ２へ供給される。
【０１３７】
ＩＴＩ発生器６５には、モード処理マイコン６７からＡＰＴ，ＳＰ／ＬＰ，ＰＦの各データが供給される。ＩＴＩ発生器６５はこれらのデータをＴＩＡの所定の位置に嵌め込んで第２のスイッチング回路ＳＷ２へ供給する。したがって、スイッチング回路ＳＷ２を所定のタイミングで切り替えることにより、合成器６３の出力にアンブルパターン及びＩＴＩデータが付加される。第２のスイッチング回路ＳＷ２の出力は記録アンプ（図示せず）により増幅され、磁気ヘッド（図示せず）により磁気テープ（図示せず）に記録される。
【０１３８】
モード処理マイコン６７はディジタルＶＴＲ全体のモード管理を行う。このマイコンに接続された第３のスイッチング回路ＳＷ３は、ＶＴＲ本体の外部スイッチで、記録動作及び再生動作等に限らずその外の様々な動作を指示するスイッチ群であり、このなかにはＳＰ／ＬＰの記録モード設定スイッチも含まれている。このスイッチ群による設定結果はモード処理マイコン６７により検出され、マイコン間通信により信号処理マイコン５５、ＭＩＣマイコン６９及びメカ制御マイコン（図示せず）へ与えられる。
【０１３９】
次に、ＭＩＣマイコンにおけるパックデータ生成について図３４を参照して説明する。この図において、モード処理マイコン６７から入力されるシリアルデータは、Ｓ／Ｐ変換回路９においてパラレルデータ化されマイコン内部で処理される。
図２４に示されるメインエリアにおいてＶＴＲ側が書き換えるのは、アドレス０のＡＰＭ、ＣＡＳＳＥＴＴＥ  ＩＤパック内のＭＥフラグ、及びＴＩＴＬＥＥＮＤパックである（なお、ＴＡＰＥ  ＬＥＮＧＴＨパック内のデータは、テープメーカーによって書き込まれる）。この中で、ＲＥフラグとＭＥフラグはＭＩＣマイコン内部で生成されるが、そのほかについてはモード処理マイコン６７からデータを受け取る。なお、絶対トラック番号とＳＬフラグ及びＢＦフラグは信号処理マイコンで生成され、モード処理マイコン経由で受け取る。
【０１４０】
こうして得られたデータは、ＭＩＣの動作に応じて組み立てられ、ＭＩＣ６８に書き込まれる。スイッチ１２は、ＴＩＴＬＥ  ＥＮＤパック書込み時そのパックヘッダーを供給するためのものであり、この時だけ上側に切り換わっている。ＭＩＣのオプショナルエリアには様々なイベントが記録される。例えば、ユーザーがモード処理マイコンへ必要なデータを入力してプログラムイベントに使用する種々のパックを作成してこれをＭＩＣマイコンへ伝送し、これらをＭＩＣマイコンが必要に応じて組み立ててプログラムイベントを作成し、ＭＩＣへ伝送する。
【０１４１】
ＭＩＣマイコンで組み立てられたデータは、回路８でＭＩＣ通信プロトコルであるＩＩＣバスフォーマットに変換されてからＭＩＣへ伝送される。図における回路８，９以外はマイコンプログラムであるが、実際には回路１，３のデータはマイコン内部のＲＡＭに蓄えられる。
【０１４２】
以上の一連の記録動作は、モード処理マイコン６７を中心に、メカ制御マイコンや信号処理マイコン５５と各パート担当のＩＣとの連携動作で行われる。
なお、ＭＩＣマイコン６９はＭＩＣ処理用のマイコンである。ここでＭＩＣ内のパックデータやＡＰＭ等を生成し、ＭＩＣ接点（図示せず）を介してＭＩＣ付きカセット（図示せず）内のＭＩＣ６８へ与える。
【０１４３】
本実施例の記録装置では、以上のようにしてＥＤＴＶ−２信号が記録媒体に記録されるが、次に、このように記録された記録媒体からＥＤＴＶ−２信号を再生するための再生装置の実施例について説明する。
【０１４４】
〔２〕再生装置
かかる再生装置の実施例の全体的構成を図３５に示す。
図に示されるように、この実施例では、ディジタルＶＴＲ再生部８０１とテレビ受像機９００との間にＥＤＴＶ−２再生回路６０１が設けられ、ディジタルＶＴＲ再生部８０１において記録媒体から再生処理して導出されたコンポーネント信号Ｙ，Ｂ−Ｙ，Ｒ−Ｙが、ＥＤＴＶ−２再生回路６０１のＹ入力端子、ＣＢ入力端子、ＣＲ入力端子へそれぞれ入力される。また、この外に、ＶＡＵＸ  ＴＲパックデータもＥＤＴＶ−２再生回路に入力される。ＥＤＴＶ−２再生回路は、これらの入力信号に基づいてＥＤＴＶ−２信号もしくはＮＴＳＣ方式のコンポジット信号を生成してテレビ受像機へ出力する。なお、ディジタルＶＴＲ再生部で再生された音声信号は、直接テレビ受像機へ入力される。
【０１４５】
以下に、ディジタルＶＴＲ再生部８０１及びＥＤＴＶ−２再生回路６０１について詳細に説明する。
１．ディジタルＶＴＲ再生部
本実施例におけるディジタルＶＴＲ再生部の詳細を、図３６及び図３７を参照しながら説明する。
図３６において、磁気ヘッド（図示せず）により磁気テープ（図示せず）から再生された微弱信号は、ヘッドアンプ（図示せず）により増幅され、イコライザー回路７１へ加えられる。イコライザー回路７１は、記録時に磁気テープと磁気ヘッドとの電磁変換特性を向上させるために行ったエンファシス処理（例えばパーシャルレスポンスクラスＩＶ）の逆処理を行うものである。
【０１４６】
イコライザー回路７１の出力からクロック抽出回路７２によりクロックＣＫを抜き出す。このクロックＣＫをＡ／Ｄ変換器７３へ供給し、イコライザー回路７１の出力をディジタル値化する。こうして得られた１ビットデータをクロックＣＫを用いてＦＩＦＯ７４に書き込む。
このクロックＣＫは、回転ヘッドドラムのジッター成分を含んだ時間的に不安定な信号である。しかしＡ／Ｄ変換する前のデータ自身もジッター成分を含んでいるので、サンプリングすること自体には問題はない。ところが、これから画像データ等を抜き出す時には、時間的に安定したデータになっていないと取り出せないので、ＦＩＦＯ７４を用いて時間軸調整を行う。つまり書き込みは不安定なクロックで行うが、読み出しは水晶発信子等を用いた自励発信器（図示せず）からの安定したクロックＳＣＫで行う。ＦＩＦＯ７４の深さとしては、入力データの入力スピードよりも速く読み出さないような余裕のあるものにする。
【０１４７】
ＦＩＦＯ７４の各段の出力はＳＹＮＣパターン検出回路７５に加えられる。ここには、第５のスイッチング回路ＳＷ５により、各エリアのＳＹＮＣパターンが、タイミング回路７９により切り替えられて与えられる。ＳＹＮＣパターン検出回路７５はフライホイール構成になっており、一度ＳＹＮＣパターンを検出すると、それから所定のＳＹＮＣブロック長後に再び同じＳＹＮＣパターンが来るかどうかを見る。それが例えば３回以上正しければ真とみなすような構成にして、誤検出を防いでいる。ＦＩＦＯ７４の深さはこの数分は必要である。
【０１４８】
こうしてＳＹＮＣパターンが検出されると、ＦＩＦＯ７４の各段の出力からどの部分を抜き出せば一つのＳＹＮＣブロックが取り出せるか、そのシフト量が決定されるので、それを基に第４のスイッチング回路ＳＷ４を閉じて、必要なビットをＳＹＮＣブロック確定ラッチ７７に取り込む。これにより、取り込んだＳＹＮＣ番号をＳＹＮＣ番号抽出回路７８において取り出し、タイミング回路７９へ供給する。この読み込んだＳＹＮＣ番号によりトラック上のどの位置をヘッドが走査しているかがわかるので、それにより第５のスイッチング回路ＳＷ５及び第６のスイッチング回路ＳＷ６を切り替える。
【０１４９】
第６のスイッチング回路ＳＷ６は、ヘッドがＩＴＩエリアを走査している時下側に切り替わっており、減算器８０によりＩＴＩＳＹＮＣパターンを取り除いて、ＩＴＩデコーダ８１に加える。ＩＴＩエリアはコーディングして記録してあるので、それをデコードすることにより、ＡＰＴ、ＳＰ／ＬＰ、ＰＦの各データを取り出せる。これらのデータは、モード処理マイコン８２へ与えられる。なお、このモード処理マイコン８２には、ＳＰ／ＬＰモード等の種々の指令を入力するためのスイッチ群である第７のスイッチング回路ＳＷ７が接続されている。モード処理マイコン８２はディジタルＶＴＲ全体の動作モード等を決めるものであり、メカ制御マイコン８５や図３７における信号処理マイコン１００と連携を取って、セット全体のシステムコントロールを行う。
【０１５０】
モード処理マイコン８２には、ＡＰＭ等を管理するＭＩＣマイコン８３が接続されている。ＭＩＣ付きカセット（図示せず）内のＭＩＣ８４からの情報は、ＭＩＣ接点スイッチ（図示せず）を介してこのＭＩＣマイコン８３に与えられ、モード処理マイコン８２と役割分担しながら、ＭＩＣの処理を行う。セットによっては、このＭＩＣマイコン８３を省略してモード処理マイコン８２でＭＩＣ処理を行うように構成することもできる。
【０１５１】
ヘッドがオーディオエリア、ビデオエリア、或るいはＳＵＢＣＯＤＥエリアを走査している時には、第６のスイッチング回路ＳＷ６は上側に切り替わっている。減算器８６により各エリアのＳＹＮＣパターンを抜き出した後、２４／２５逆変換回路８７を通し、さらに逆乱数化回路８８に加えて、元のデータ列に戻す。こうして取り出したデータをエラー訂正回路８９に加える。
【０１５２】
エラー訂正回路８９では、記録側で付加されたパリティを用いて、エラーデータの検出、訂正を行うが、どうしても取りきれなかったデータはＥＲＲＯＲフラグをつけて出力する。各データは第８のスイッチング回路ＳＷ８により切り替えられて出力される。ＡＶ  ＩＤ，プリＳＹＮＣ，ポストＳＹＮＣ抽出回路９０は、Ａ／Ｖエリア及びプリＳＹＮＣとポストＳＹＮＣに格納されていたＳＹＮＣ番号、トラック番号、それにプリＳＹＮＣに格納されていたＳＰ／ＬＰの各信号を抜き出す。これらはタイミング回路７９に与えられ各種タイミングの生成に使用される。なお、上記抽出回路９０においては、ＡＰ１、ＡＰ２も抜き出され、これはモード処理マイコン８２ヘ供給されてチェックが行われる。ＡＰ１、ＡＰ２＝０００の時には通常通り動作するが、それ以外の値の時は警告処理等のウォーニング動作を行う。
【０１５３】
ＳＰ／ＬＰについては、モード処理マイコン８２がＩＴＩから得られたものとの比較検討を行う。ＩＴＩエリアには、その中のＴＩＡエリアに３回ＳＰ／ＬＰ情報が書かれており、そこだけで多数決等を取って信頼性を高める。プリＳＹＮＣは、オーディオ、ビデオにそれぞれ２ＳＹＮＣづつあり、計４箇所ＳＰ／ＬＰ情報が書かれている。ここもそこだけで多数決等を取って信頼性を高める。そして最終的に両者が一致しなかった場合には、ＩＴＩエリアのものを優先して採用する。
【０１５４】
第８のスイッチング回路ＳＷ８から出力されたＶＤＡＴＡは、図３７に示される第９のスイッチング回路ＳＷ９によりビデオデータとビデオ付随データに切り分けられる。そして、ビデオデータはエラーフラグと共にデフレーミング回路９４に与えられる。
デフレーミング回路９４は記録側のフレーミングの逆変換をする所で、その中に詰め込まれたデータの性質を把握している。そして、あるデータに取りきれなかったエラーがあったとき、それがそのほかのデータにどう影響を及ぼすかを理解しているので、ここで伝播エラー処理を行う。これによりＥＲＲＯＲフラグは、新たに伝播エラーを含んだＶＥＲＲＯＲフラグとなる。また、エラーを有するデータであっても画像再現上重要でないものは、その画像データにある細工をして、エラーフラグを消してしまう処理も、このデフレーミング回路９４で行う。
【０１５５】
ビデオデータは逆量子化回路９５、逆圧縮回路９６を通して、圧縮前のデータに戻される。次にデシャフリング・デブロッキング回路９７により、データをもとの画像空間配置に戻す。この実画像空間にデータを戻して初めて、ＶＥＲＲＯＲフラグを基に画像の補修が可能になる。つまり、例えば常に１フレーム前の画像データをメモリに記憶させておき、エラーとなった画像ブロックを前の画像データで代用してしまうような処理が行われる。
【０１５６】
さてデシャフリング以降は、ＤＹ，ＤＲ，ＤＢの３系統にデータを分けて扱う。そしてＤ／Ａ変換器１０１〜１０３によりＹ、Ｒ−Ｙ、Ｂ−Ｙの各アナログ成分に戻される。この時のクロックは、Ｙについては１３．５ＭＨＺ  、Ｒ−Ｙ、Ｂ−Ｙについては３．３７５ＭＨＺ  である。
【０１５７】
こうして得られた３つの信号成分は、Ｙ／Ｃ合成回路１０４において合成され、さらに合成器１０５において同期信号発生回路９３からのコンポジット同期信号と合成され、コンポジットビデオ信号として端子１０６から出力される。
なお、このディジタルＶＴＲ再生部には、この図に示されるようにコンポーネント信号出力端子も設けられており、このコンポーネント信号がＥＤＴＶ−２再生回路へ供給される。そして、このコンポーネント信号においては、同期信号発生回路９３からのコンポジット同期信号がＹ信号へ合成される（合成回路５９５）。
【０１５８】
また、これらのコンポーネント信号にはキャラクター表示制御回路５９８からのキャラクター表示用画像信号も合成される（合成回路５９９、５４０、５４１）。このキャラクター表示は、図３６におけるモード処理マイコン８２からの入力データに応じて実行され、例えば、モード処理マイコンに対してユーザーがＴＯＣ表示の指令を出した場合のＴＯＣ表示とか、或るいは、ディジタルＶＴＲの再生動作中に、現在再生されている画像がＨＨ信号を含む広帯域の画像信号による再生画像であるかどうかを知りたい場合に、広帯域画像信号であるか否かを表示させる（即ち、モード処理マイコンが、現在ＶＡＵＸメインエリアから再生されているＶＡＵＸ  ＳＯＵＲＣＥ  ＣＯＮＴＲＯＬパック内のＨＨフラグの内容を識別して、その結果をキャラクター表示制御回路５９８を介して画面上に表示する）とき等に使用される。なお、このキャラクター表示用画像信号は、端子１０６から出力されるコンポジット信号へも合成されるが、この図では省略している。
【０１５９】
第８のスイッチング回路ＳＷ８から出力されたＡＤＡＴＡは、図３７に示される第１０のスイッチング回路ＳＷ１０によりオーディオデータとオーディオ付随データに切り分けられる。そして、オーディオデータはＥＲＲＯＲフラグと共にデフレーミング回路１０７に与えられる。
【０１６０】
デフレーミング回路１０７は、記録側のフレーミングの逆変換をする所で、その中に詰め込まれたデータの性質を把握している。そして、あるデータに取りきれなかったエラーがあったとき、それがそのほかのデータにどう影響を及ぼすかを理解しているので、ここで伝播エラー処理を行う。例えば、１６ビットサンプリングの時、１つのデータは８ビット単位なので、１つのＥＲＲＯＲフラグは、新たに伝播エラーを含んだＡＥＲＲＯＲフラグとなる。
【０１６１】
オーディオデータは、次のデシャフリング回路１０８により元の時間軸上に戻される。この時、先ほどのＡＥＲＲＯＲフラグを基にオーディオデータの補修作業を行う。つまり、エラー直前の音で代用する前値ホールド等の処理を行う。エラー期間があまりに長く、補修が効かない場合には、ミューティング等の処置をして音そのものを止めてしまう。
【０１６２】
このような処置をした後、Ｄ／Ａ変換器１０９によりアナログ値に戻し、画像データとのリップシンク等のタイミングを取りながら、アナログオーディオ出力端子１１０から出力する。
さて、第９のスイッチング回路ＳＷ９及び第１０のスイッチング回路ＳＷ１０により切り分けられたＶＡＵＸ、ＡＡＵＸの各データは、それぞれＶＡＵＸ用ＩＣ９８及びＡＡＵＸ用ＩＣ１１１においてエラーフラグも参考にしながら多数決処理等の前処理を行う。
【０１６３】
また、第８のスイッチング回路ＳＷ８から出力されたＳＵＢＣＯＤＥエリアのＩＤデータＳＩＤとパックデータＳＤＡＴＡは、ＳＵＢＣＯＤＥ用ＩＣ１１２に与えられ、ここでもエラーフラグも参考にしながら多数決処理等の前処理を行う。これらの前処理が行われたデータは、その後、信号処理マイコン１００に与えられ、最終的な読み取り動作を行う。そして、前処理において取りきれなかったエラーは、それぞれＶＡＵＸＥＲ、ＳＵＢＥＲ、ＡＡＵＸＥＲとして信号処理マイコン１００に与えられる。
【０１６４】
ここでＳＵＢＣＯＤＥ用ＩＣ１１２はＡＰ３、及びＡＰＴを抜き出し、これらを信号処理マイコン１００を介してモード処理マイコン８２に渡してチェックをする。モード処理マイコン８２は、ＩＴＩからのＡＰＴ、及びＳＵＢＣＯＤＥからのＡＰＴにもとづいてＡＰＴの値を確定すると共に、この値が「０００」でない時は警告処理等の動作を行う。また、ＡＰ３＝０００の時には通常通り動作するが、それ以外の値の時は警告処理等のウォーニング動作を行う。
【０１６５】
ここで、パックデータのエラー処理について補足すると、各々のエリアにはメインエリアとオプショナルエリアがある。そして、メインエリアには同じデータが１０回書かれているので、そのうちいくつかがエラーしていても、その他のデータで補足再現できるのでそこのＥＲＲＯＲフラグはもはやエラーではなくなる。ただしＳＵＢＣＯＤＥ以外のオプショナルエリアについてはデータは１回書きなので、エラーはそのままＶＡＵＸＥＲ、ＡＡＵＸＥＲとして残ることになる。
【０１６６】
信号処理マイコン１００は、さらに各データのパックの前後関係などから類推して、伝播エラー処理やデータの補修処理等を行う。こうして判断した結果は、モード処理マイコン８２に与えられ、セット全体の挙動を決める材料にする。
次にＶＡＵＸを例にＶＡＵＸ用ＩＣ９８及び信号処理マイコン１００におけるパックデータの再生回路を説明する。ここでは、前処理として多数決処理ではなく、エラーの場合にはメモリに書き込まないという単純な処理方式を用いた構成例について説明する。図３８にＶＡＵＸ用ＩＣ９８の回路例を示す。まずスイッチング回路ＳＷ９からきたＶＡＵＸパックデータを、ライト側コントローラ１４２により図３２のｎＭＡＩＮ＝「Ｌ」のタイミングで、スイッチ１４１を切り換えることによりメインエリア用メモリ１４５及びオプショナルエリア用ＦＩＦＯ１４８に振り分ける。
【０１６７】
メインエリアのパックデータは、パックヘッダー検出回路１４３によりそのヘッダーを読み取ってスイッチ１４４を切り換える。そしてＥＲＲＯＲでない時だけデータをメインエリア用メモリに書き込む。このメモリは、９ビット構成になっており、図で網点がかかっている部分はエラーフラグの格納ビットである。
メインエリア用メモリの初期設定としては、１ビデオフレーム毎にその内容をすべてオール１（＝情報無し）にしておく。そしてＥＲＲＯＲだったらなにもせず、ＥＲＲＯＲでなければそのデータを書き込むと共にエラーフラグに０を書き込んでおく。メインエリアには１フレームにつき同じパックが１０回、もしくは１２回書きされているので１ビデオフレーム終了時点でエラーフラグに１が立っているところが、最終的にエラーと認識される。
【０１６８】
オプショナルエリアは、基本的に１回書きなので、ＥＲＲＯＲフラグをそのままデータと共にオプショナルエリア用ＦＩＦＯ１４８に書き込む。これらをリード側タイミングコントローラ１４９によって切り換えられるスイッチ１４６、１４７を介して信号処理マイコン１００へ送る。
信号処理マイコン１００では、送られてきたパックデータとエラーフラグから解析を行う。信号処理マイコン１００における処理動作を図３９を参照して説明する。この図に於てパックヘッダー識別回路１５０により、ＶＡＵＸ用ＩＣ９８から送られてきたパックデータ（ＶＡＵＸＤＴ）の振り分けを行い、メモリ１５１に貯える。これは、メインエリア、オプショナルエリアの区別は特にしない。
【０１６９】
メインエリアのパックの場合には、ＶＡＵＸ用ＩＣ９８と同じく、ＶＡＵＸＥＲにエラーフラグ「１」が立っている時には書き込み処理を行わない。これにより少なくとも１ビデオフレーム前の値で補修ができる。メインエリアの内容は、１ビデオフレーム前の値と非常に相関が強いと考えられるので、この処理で代用してしまっても特に問題は生じない。
【０１７０】
一方、オプショナルエリアのパックの場合には、１ビデオフレーム前の値と全く相関がないと考えられるので、そのパック単位でエラー伝播処理を行う。
この方法は、基本的には５バイト固定長のパックデータの中にエラーが有れば全データをＦＦｈとする「情報無しパック」に変更することにより行われるが、パック個別対応も必要となる。例えば、Ｔｅｌｅｔｅｘｔデータが格納される「Ｔｅｌｅｔｅｘｔ」パックの場合には、そのパックがいくつも続く関係から、その間のパックヘッダーにエラーがあっても容易にＴｅｌｅｔｘｔパックヘッダーに置き換えが可能である。またデータ部にエラーがあっても、パックヘッダーにエラーが無ければそのパックを「情報無しパック」に変更することはしない。これは、そのＴｅｌｅｔｅｘｔデータの復元を、Ｔｅｌｅｔｅｘｔデコーダーのパリティチェックに委ねているからで、エラーとわかってもデータはそのままにしておく。
【０１７１】
即ち、本実施例のディジタルＶＴＲにおいては、図３７の再生回路では記載を省略しているが、テキストデータ、Ｔｅｌｅｔｅｘｔデータ等のようにデータ量が多く、かつ、１連のデータシーケンスとして特徴のあるパックデータについては、それぞれ信号処理マイコン１００から専用のデータ処理回路へ受け渡して、より高能率のエラー補正を実行すると共に、モード処理マイコン８２に対する負荷の軽減を行うようにしている。
【０１７２】
以上のような信号処理マイコン１００における処理により整えられたデータには、すでにエラーフラグは存在しない。これらをＰ／Ｓ変換回路１５２にてシリアルデータに変換し、マイコン間の通信プロトコルに従ってモード処理マイコン８２に送る。ここでＳ／Ｐ変換回路１５３にてパラレルデータに戻し、パックデータ分解解析を行う。
【０１７３】
ここで回路１５０、１５５、及びスイッチ１５４はマイコンのプログラムで構成されると共に、メモリ１５１はマイコン内部のメモリ、回路１５２、及び１５３はマイコン内部のシリアルＩ／Ｏである。
モード処理マイコン８２におけるパックデータの分解解析においては、確定されたパックヘッダーに基づいてパックデータの解析を行い、解析結果として得られる種々の制御情報、表示情報等をそれぞれの制御回路、表示回路等へ供給する。例えば、前述のように、ＴＯＣ表示用データ等を図３７におけるキャラクター表示制御回路５９８へ供給するが、この外に、図３６に示されるようにＶＡＵＸＴＲパックデータをインターフェース（図示せず）を介してＥＤＴＶ−２再生回路へ供給するようにしている。
【０１７４】
２．ＥＤＴＶ−２再生回路
次に、以上に説明したディジタルＶＴＲ再生部からのコンポーネント信号及びＶＡＵＸ  ＴＲパックデータを入力して所望のコンポジット信号を生成するＥＤＴＶ−２再生回路６０１について説明する。
【０１７５】
かかる再生回路６０１の具体回路の１例を図４０に示す。
この図において、ディジタルＶＴＲ再生部のモード処理マイコンから供給されたＶＡＵＸ  ＴＲパックデータは、端子５２０からＤＡＴＡ  ＴＹＰＥ識別回路５７０へ入力され、ここで、該パックのＰＣ１の下位４ビットに格納されているＤＡＴＡ  ＴＹＰＥが調べられる（なお、モード処理マイコンは、テープ上にＶＡＵＸ  ＴＲパックが記録されていない場合には、ＰＣ１〜ＰＣ４にすべて「１」が格納されているＮｏ  Ｉｎｆｏｒｍａｔｉｏｎパックを上記端子５２０へ供給する）。
【０１７６】
該識別回路５７０は、ＤＡＴＡ  ＴＹＰＥがＥＤＴＶ−２データであることを表す「００１０」或るいは「００１１」のときのみ、判別信号ＤＳをＥＤＴＶ−２ＩＤエンコーダ５２４、ラインデコーダスイッチ回路５３０、及びＶＴ／ＶＨ’信号変調装置５３１へ供給してこれらの回路ブロックの動作をオン状態とする。このとき、ラインデコーダスイッチ回路５３０では無画部期間のみ制御信号▲１▼を生成して、この制御信号をチャンネル合成装置５２８及び色変調装置５２６へ出力し、この無画部期間においてチャンネル合成装置５２８をオン状態に、また、色変調装置をオフ状態に維持する。
【０１７７】
これにより、無画部期間に色差信号記録チャンネルを介して記録媒体に記録されていたＶＴ／ＶＨ’信号は、チャンネル合成装置において図１のチャンネル分割装置で受けた変換処理とは逆の変換処理を施され、更に、ＶＴ／ＶＨ’信号変調装置５３１においてＱ軸の色副搬送波を変調した後、加算回路５２９において色変調装置５２６からのクロマ信号と合成される。なお、色変調装置５２６において色変調の際に使用する色副搬送波は、同期分離回路５２５において分離したバースト信号を色変調装置内の色副搬送波再生回路（図示せず）へ供給して得る。
【０１７８】
また、ラインデコーダスイッチ回路５３０は、第２２ライン及び第２８５ラインの期間に対応したゲートパルスＧをＥＤＴＶ−２ＩＤエンコーダ５２４へ出力する。一方、該エンコーダ５２４は、ＤＡＴＡ  ＴＹＰＥ識別回路から入力されたＶＡＵＸ  ＴＲパックデータに基づいてＥＤＴＶ−２で定義された識別制御信号を生成し、この識別制御信号を、上記ゲートパルスが入力されたライン期間に加算回路５２７へ出力し、端子５２１から入力された再生輝度信号と合成する。
【０１７９】
加算回路５２７から得られる輝度信号及び識別制御信号と、加算回路５２９から得られるクロマ信号及びＶＴ／ＶＨ’信号は、更にＹ／Ｃ合成回路５３２において合成されることによりＥＤＴＶ−２信号が生成され、端子５３３からテレビ受像機へ出力される。なお、出力端子５３４及び５３５は、輝度信号及びクロマ信号の分離された入力端子を備えたテレビ受像機へ出力するための端子である。
【０１８０】
なお、ディジタルＶＴＲ再生部において再生された信号がＮＴＳＣ方式のものであった場合には、ＤＡＴＡ  ＴＹＰＥ識別回路５７０から判別信号ＤＳが出力されないためエンコーダ５２４、スイッチ回路５３０、及び変調装置５３１がオフ状態とされると共に、色変調装置５２６は常にオン状態に維持され、更に、前記のゲートパルスＧも出力されないので、Ｙ／Ｃ合成回路５３２の出力側には、端子５２１へ入力された輝度信号と色変調装置５２６から出力されるクロマ信号とを合成したＮＴＳＣ信号が得られる。
【０１８１】
以上、本発明による記録装置、及び再生装置の実施例について説明したが、勿論、これらの実施例を組み合わせて記録再生装置を構成することも直ちにできる。かかる記録再生装置の実施例の具体的構成及び回路動作は、上記記録装置及び再生装置の各実施例の回路構成及び各回路動作に示されるとおりのものを採用出来るので、それらの説明については省略する。
【０１８２】
【発明の効果】
ディジタルＶＴＲの再生出力として高解像度の画像が得られ、また、ユーザーは、再生信号が水平解像度補強信号の合成された輝度信号であるか否かを知ることができる。
ＥＤＴＶ−２デコーダを備えていない受像機へ再生信号を入力した場合に、無画部の垂直解像度補強信号が目立たない。
【図面の簡単な説明】
【図１】ＥＤＴＶ−２記録回路の回路構成例を示す図である。
【図２】ＶＴ／ＶＨ’復調装置の回路構成例を示す図である。
【図３】チャンネル分割装置の具体回路例を示す図である。
【図４】適応型セットアップ低下を説明する図である。
【図５】ディジタルＶＴＲの１トラックの記録フォーマットを示す図である。
【図６】プリＳＹＮＣブロック、及びポストＳＹＮＣブロックの構造を示す図である。
【図７】ＡＵＤＩＯのフレーミングフォーマット及び１ＳＹＮＣブロックの構造を説明する図である。
【図８】１フレーム分の画像データのブロッキングを説明する図である。
【図９】１フレーム分のＤＣＴブロックの生成を説明する図である。
【図１０】誤り訂正符号が付加されたＶＩＤＥＯのフレーミングフォーマットを示す図である。
【図１１】ＶＩＤＥＯのバッファリングユニット、及び１ＳＹＮＣブロックの構成を示す図である。
【図１２】１トラック分のＳＵＢＣＯＤＥエリアの構造を説明する図である。
【図１３】ＡＵＤＩＯエリア、及びＶＩＤＥＯエリアにおけるＳＹＮＣブロックのＩＤ部の構造を説明する図である。
【図１４】ＳＵＢＣＯＤＥエリアにおけるＳＹＮＣブロックのＩＤ部の構造を説明する図である。
【図１５】パックの基本構造を示す図である。
【図１６】大アイテムによるパックのグループの定義、及びＶＡＵＸ  ＳＯＵＲＣＥパックとＶＡＵＸ  ＳＯＵＲＣＥ  ＣＯＮＴＲＯＬパックの詳細を示す図である。
【図１７】ＶＡＵＸ  ＲＥＣ  ＤＡＴＥパック、ＶＡＵＸ  ＲＥＣ  ＴＩＭＥパック、ＶＡＵＸ  ＲＥＣ  ＴＩＭＥ  ＢＩＮＡＲＹ  ＧＲＯＵＰパック、ＣＬＯＳＥＤＣＡＰＴＩＯＮパック、及びＶＡＵＸ  ＴＲパックの詳細を示す図である。
【図１８】ＣＡＳＳＥＴＴＥ  ＩＤパック、ＴＡＰＥ  ＬＥＮＧＴＨパック、及びＴＩＴＬＥ  ＥＮＤパックの詳細を示す図である。
【図１９】ＰＲＯＧＲＡＭ  ＳＴＡＲＴパック、ＰＲＯＧＲＡＭ  ＥＮＤパック、及びＰＲＯＧＲＡＭ  ＲＥＣ  ＤＡＴＥ  ＴＩＭＥパックの詳細を示す図である。
【図２０】１フレーム分のＡＡＵＸ領域の構造を説明する図である。
【図２１】１トラック分のＶＡＵＸ領域の構造を説明する図である。
【図２２】１フレーム分のＶＡＵＸ領域のパック構造を説明する図である。
【図２３】ＳＵＢＣＯＤＥエリアのパックデータの多重書きを説明する図である。
【図２４】メモリインカセットのメモリーマップを説明する図である。
【図２５】プログラムイベントの例を示す図である。
【図２６】ＡＰＴによるトラックフォーマットの定義付けを説明する図である。
【図２７】アプリケーションＩＤの階層構造を説明する図である。
【図２８】アプリケーションＩＤが「０００」の場合のトラック上のフォーマットを説明する図である。
【図２９】ディジタルＶＴＲの記録回路を示す図である。
【図３０】クランパーの回路例を示す図である。
【図３１】ディジタルＶＴＲの記録回路におけるパックデータの生成を説明する図である。
【図３２】記録トラック上のメインエリアを説明する図である。
【図３３】モード処理マイコンにおけるパックデータの生成を説明する図である。
【図３４】ＭＩＣマイコンにおけるパックデータの生成を説明する図である。
【図３５】再生装置の全体的構成を示す図である。
【図３６】ディジタルＶＴＲの再生回路の１部分の構成を示す図である。
【図３７】ディジタルＶＴＲの再生回路の他の部分の構成を示す図である。
【図３８】ＶＡＵＸ用ＩＣにおける再生パックデータの処理を説明する図である。
【図３９】信号処理マイコンにおける再生パックデータの処理を説明する図である。
【図４０】ＥＤＴＶ−２再生回路の構成例を示す図である。
【図４１】ＥＤＴＶ−２信号における輝度信号、色信号、及び水平解像度補強信号の分布を説明する図である。
【図４２】垂直解像度補強信号の分布を説明する図である。
【図４３】識別制御信号のフォーマットを示す図である。
【図４４】１フレーム分のＥＤＴＶ−２信号のフォーマットを説明する図である。
【図４５】記録装置の全体的構成を示す図である。
【符号の説明】
６００…ＥＤＴＶ−２記録回路、    ５０２…ＶＴ／ＶＨ’復調装置、
５０３…３次元Ｙ／Ｃ分離回路、    ５０４…ＥＤＴＶ−２ＩＤデコーダ、
５０６，５３０…ラインデコーダスイッチ回路、
５０７…ＨＨ’信号デコーダ、    ５１０…チャンネル分割装置、
５２４…ＥＤＴＶ−２ＩＤエンコーダ、    ５２８…チャンネル合成装置、
５３１…ＶＴ／ＶＨ’信号変調装置、    ５７０…ＤＡＴＡ  ＴＹＰＥ識別回路
【図１】
0003582129.tif 000002
【図２】
0003582129.tif 000003
【図３】
0003582129.tif 000004
【図４】
0003582129.tif 000005
【図５】
0003582129.tif 000006
【図６】
0003582129.tif 000007
【図７】
0003582129.tif 000008
【図８】
0003582129.tif 000009
【図９】
0003582129.tif 000010
【図１０】
0003582129.tif 000011
【図１１】
0003582129.tif 000012
【図１２】
0003582129.tif 000013
【図１３】
0003582129.tif 000014
【図１４】
0003582129.tif 000015
【図１５】
0003582129.tif 000016
【図１６】
0003582129.tif 000017
【図１７】
0003582129.tif 000018
【図１８】
0003582129.tif 000019
【図１９】
0003582129.tif 000020
【図２０】
0003582129.tif 000021
【図２１】
0003582129.tif 000022
【図２２】
0003582129.tif 000023
【図２３】
0003582129.tif 000024
【図２４】
0003582129.tif 000025
【図２５】
0003582129.tif 000026
【図２６】
0003582129.tif 000027
【図２７】
0003582129.tif 000028
【図２８】
0003582129.tif 000029
【図２９】
0003582129.tif 000030
【図３０】
0003582129.tif 000031
【図３１】
0003582129.tif 000032
【図３２】
0003582129.tif 000033
【図３３】
0003582129.tif 000034
【図３４】
0003582129.tif 000035
【図３５】
0003582129.tif 000036
【図３６】
0003582129.tif 000037
【図３７】
0003582129.tif 000038
【図３８】
0003582129.tif 000039
【図３９】
0003582129.tif 000040
【図４０】
0003582129.tif 000041
【図４１】
0003582129.tif 000042
【図４２】
0003582129.tif 000043
【図４３】
0003582129.tif 000044
【図４４】
0003582129.tif 000045
【図４５】
0003582129.tif 000046